(57)【要約】【課題】データ・オフロードのためのパスを確立する方法及び装置を提供し、ｅＮＢが一部のトラフィックを３ＧＰＰ接続ネットワークからＷＬＡＮネットワークにオフローデイングできない問題点を解決する。【解決手段】方法は、基地局は、１つのＵＥが指定したＷＬＡＮネットワークに接続したと確定した後、前記ＷＬＡＮネットワークにリクエストメッセージを送信するステップと、基地局は、ＷＬＡＮネットワークからフィードバックされた前記リクエストメッセージへの応答メッセージを受信するステップと、基地局は、前記ＵＥにパス変更確認メッセージを送信して、前記ＵＥに、前記基地局から前記ＷＬＡＮネットワークにオフロードするためのパス確立が成功したことを通知するステップとを備える。こうして、基地局により伝送する一部のトラフィックをＷＬＡＮ接続ネットワークにオフロードすることができ、３ＧＰＰ接続ネットワークの無線利用率を向上した。【選択図】図７
2019201421.tif 000002
【特許請求の範囲】
【請求項１】
データ・オフロードのためのパスを確立する方法であって、基地局側に適用され、前記方法は、
基地局は、１つのＵＥが指定したＷＬＡＮネットワークに接続したと確定した後、前記ＷＬＡＮネットワークにリクエストメッセージを送信するステップと、
前記基地局は、前記ＷＬＡＮネットワークからフィードバックされた前記リクエストメッセージへの応答メッセージを受信するステップと、
前記基地局は、前記ＵＥにパス変更確認メッセージを送信し、前記基地局から前記ＷＬＡＮネットワークにオフロードするためのパス確立が成功したことを前記ＵＥに通知するステップとを備え、
前記リクエストメッセージには、前記ＵＥの第１ＭＡＣアドレスが含まれ、前記応答メッセージには少なくとも前記ＷＬＡＮネットワークから前記リクエストメッセージに対して割り当てたパス識別子が含まれることを特徴とするデータ・オフロードのためのパスを確立する方法。
【請求項２】
前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）であることを特徴とする請求項１に記載のデータ・オフロードのためのパスを確立する方法。
【請求項３】
前記基地局が、前記ＷＬＡＮネットワークからフィードバックされた前記リクエストメッセージへの応答メッセージを受信するステップであって、前記応答メッセージには少なくとも前記ＷＬＡＮネットワークから前記リクエストメッセージに対して割り当てたパス識別子が含まれる受信ステップは、
前記基地局と前記ＷＬＡＮネットワークの間で層２フレームの方式により通信すれば、前記基地局は、前記ＷＬＡＮネットワークからフィードバックされたパス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれるか、または、
前記基地局と前記ＷＬＡＮネットワークの間でＧＴＰトンネル方式で通信すれば、前記基地局は、前記ＷＬＡＮネットワークからフィードバックされたベアラ創立リクエストメッセージへのベアラ創立応答メッセージを受信し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれることを特徴とする請求項２に記載のデータ・オフロードのためのパスを確立する方法。
【請求項４】
前記基地局が前記ＵＥが指定したＷＬＡＮネットワークに接続したと確定する前、
前記基地局は、現ネットワークの接続負荷がプリセットした閾値より大きいと確定する場合、前記ＵＥにオフロード通知メッセージを送信し、前記オフロード通知メッセージは、指定したＷＬＡＮネットワークの識別子及び前記ＷＬＡＮネットワークにオフロードすべきの無線ベアラの識別子を前記ＵＥに通知することに用いられ、
前記基地局は、前記ＵＥからフィードバ ックされたオフロード確認メッセージを受信し、前記オフロード確認メッセージは、前記ＵＥが指定したＷＬＡＮネットワークへのオフロード動作を認めることを確定するためのものであることを特徴とする請求項１に記載のデータ・オフロードのためのパスを確立する方法。
【請求項５】
前処理段階において、前記基地局は、前記ＵＥからのＲＲＣ（ＲＲＣ）メッセージを受信し、前記ＲＲＣメッセージには前記ＵＥの第１ＭＡＣアドレスが含まれ、
前記基地局は、前記ＵＥの第１ＭＡＣアドレスを格納することを特徴とする請求項１に記載のデータ・オフロードのためのパスを確立する方法。
【請求項６】
前記基地局前記ＷＬＡＮネットワークにリクエストメッセージを送信するステップであって、前記リクエストメッセージには少なくともＵＥの第１ＭＡＣアドレスが含まれる前記送信ステップは、
前記基地局と前記ＷＬＡＮネットワークの間で層２フレームの方式により通信すれば、前記基地局は、前記ＷＬＡＮネットワークにパス確立リクエストメッセージを送信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、 
前記基地局と前記ＷＬＡＮネットワークの間でＧＴＰトンネル方式で通信すれば、前記基地局は、前記ＷＬＡＮネットワークにベアラ創立リクエストメッセージを送信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれることを特徴とする請求項１ないし請求項５のいずれかに記載のデータ・オフロードのためのパスを確立する方法。
【請求項７】
前記基地局が前記ＵＥにパス変更確認メッセージを送信した後、
前記基地局は、前記パス識別子に基づき、前記ＷＬＡＮネットワークを介して前記ＵＥと第１部分データを交換し、前記第１部分データは、基地局が前記ＷＬＡＮネットワークを介して前記ＵＥと交換するデータであることを特徴とする請求項６に記載のデータ・オフロードのためのパスを確立する方法。
【請求項８】
前記基地局は、前記パス識別子に基づき、前記ＷＬＡＮネットワークを介して前記ＵＥと第１部分データを交換するステップであって、前記第１部分データは、基地局が前記ＷＬＡＮネットワークを介して前記ＵＥと交換するデータである前記交換ステップは、
前記基地局と前記ＷＬＡＮネットワークの間で層２フレームの方式により通信すれば、前記基地局は、前記パス確立リクエストメッセージ及び前記パス確立応答メッセージに基づき、前記基地局と前記ＷＬＡＮネットワークの間で少なくとも１つのオフロードパスを確立し、
前記基地局は、前記ＷＬＡＮネットワークからフォワードされたアップリンクデータパケットを受信し、前記アップリンクデータパケットを改めてカプセル化して第１アップリンクデータパケットとし、Ｓ１ベアラにて送信し、また、前記少なくとも１つのオフロードパスに対応するＳ１ベアラからダウンリンクデータを受信した後、前記ダウンリンクデータをカプセル化してＭＡＣフレームのダウンリンクデータパケットとした後、前記ダウンリンクデータパケットを前記ＷＬＡＮネットワークにフォワードし、前記ＷＬＡＮネットワークにより前記ダウンリンクデータパケットを新たなカプセル化して第１ダウンリンクデータパケットとし、前記第１ダウンリンクデータパケットを前記ＵＥに送信し、第１部分データの交換を完成し；其中，前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記アップリンクデータパケットが前記ＷＬＡＮネットワークと前記基地局の間で伝送される場合、前記アップリンクデータパケットのソースＭＡＣアドレスを第２ＭＡＣアドレスとしてカプセル化し、ターゲットＭＡＣアドレスを前記基地局のＭＡＣアドレスとしてカプセル化し、前記ダウンリンクデータパケットのソースＭＡＣアドレスを前記基地局のＭＡＣアドレスとしてカプセル化し、ターゲットＭＡＣアドレスを第２ＭＡＣアドレスとしてカプセル化し、前記第１ダウンリンクデータパケットのソースＭＡＣアドレスを第２ＭＡＣアドレスとしてカプセル化し、ターゲットＭＡＣアドレスを第１ＭＡＣアドレスとしてカプセル化することを特徴とする請求項７に記載のデータ・オフロードのためのパスを確立する方法。
【請求項９】
前記基地局は、前記パス識別子に基づき、前記ＷＬＡＮネットワークを介して前記ＵＥと第１部分データを交換するステップであって、前記第１部分データは、基地局が前記ＷＬＡＮネットワークを介して前記ＵＥと交換するデータである前記交換ステップは、
前記基地局と前記ＷＬＡＮネットワークの間でＧＴＰトンネル方式で通信すれば、前記基地局は、前記ベアラ創立リクエストメッセージ及び前記ベアラ創立応答メッセージに基づき、前記基地局と前記ＷＬＡＮネットワークの間に１つの新設ベアラを創立し、
前記基地局は、前記新設ベアラを用いて、前記ＷＬＡＮネットワークからフォワードされたアップリンクデータパケットを受信し、前記新設ベアラから前記アップリンクデータパケットを受信した後、前記アップリンクデータパケットを前記新設ベアラに対応するＳ１ベアラにフォワードして送信し、ならびに、前記少なくとも１つの無線ベアラの識別子に対応するＳ１ベアラからダウンリンクデータを受信した後、前記ダウンリンクデータをＳ１ベアラに対応する新設ベアラにフォワードし、前記ＷＬＡＮネットワークにより前記ダウンリンクデータをＭＡＣフレームの第２ダウンリンクデータパケットとしてカプセル化して前記ＵＥに送信し、第２部分データの交換を完成し、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記第２ダウンリンクデータパケットのソースＭＡＣアドレスを前記ＷＬＡＮネットワークのＭＡＣアドレスとしてカプセル化し、ターゲットＭＡＣアドレスを第１ＭＡＣアドレスとしてカプセル化することを特徴とする請求項７に記載のデータ・オフロードのためのパスを確立する方法。
【請求項１０】
データ・オフロードのためのパスを確立する方法であって、ＷＬＡＮに適用されており、前記方法は、
ＷＬＡＮネットワークは、基地局からリクエストメッセージを受信するステップであって、前記リクエストメッセージには少なくともＵＥの第１ＭＡＣアドレスが含まれる受信ステップと、
前記ＷＬＡＮネットワークは、前記リクエストメッセージに対してパス識別子を割り当て、前記基地局に応答メッセージを送信して、関連のパス確立情報を前記基地局に通知するステップであって、前記応答メッセージには前記ＷＬＡＮネットワークが割り当てたパス識別子が含まれる通知ステップとを備えることを特徴とするデータ・オフロードのためのパスを確立する方法。
【請求項１１】
前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）であることを特徴とする請求項１０に記載のデータ・オフロードのためのパスを確立する方法。
【請求項１２】
前記ＷＬＡＮネットワークが、前記リクエストメッセージに対してパス識別子を割り当て、前記基地局に応答メッセージを送信するステップであって、関連のパス確立情報を前記基地局に通知し、前記応答メッセージには前記ＷＬＡＮネットワークが割り当てたパス識別子が含まれる送信ステップは、
前記ＷＬＡＮネットワークと前記基地局の間で層２フレーム方式により通信すれば、前記ＷＬＡＮネットワークは、パス確立リクエストメッセージに対してパス識別子を割り当て、前記基地局にパス確立応答メッセージを送信し、関連のパス確立情報を前記基地局に通知し、前記パス確立応答メッセージには、前記ＷＬＡＮネットワークから前記パス確立リクエストメッセージに対して割り当てた第２ＭＡＣアドレスが含まれるか、または、
前記ＷＬＡＮネットワークと前記基地局の間でＧＴＰトンネル方式により通信すれば、前記ＷＬＡＮネットワークは、前記パス確立リクエストメッセージに対してパス識別子を割り当て、前記基地局にベアラ創立応答メッセージを送信し、関連のパス確立情報を前記基地局に通知し、前記ベアラ創立応答メッセージには、少なくとも前記ＷＬＡＮネットワークからベアラ創立リクエストメッセージに対して割り当てた第１ベアラ識別子及び第１ユーザープレーンＴＥＩＤが含まれることを特徴とする請求項１１に記載のデータ・オフロードのためのパスを確立する方法。
【請求項１３】
前記ＷＬＡＮネットワークが、前記リクエストメッセージに対してパス識別子を割り当てることは、
前記ＷＬＡＮネットワークにおけるゲートウェイは、前記リクエストメッセージに対してパス識別子を割り当てるか、または、
前記ＷＬＡＮネットワークにおけるアクセスポイント（ＡＰ）は、前記リクエストメッセージに対してパス識別子を割り当て、
前記パス識別子は、前記ＷＬＡＮネットワークと前記基地局間に位置するオフロードすべきの第１部分データ伝送パスを識別するためのものであることを特徴とする請求項１０に記載のデータ・オフロードのためのパスを確立する方法。
【請求項１４】
前記ＷＬＡＮネットワークが前記基地局からリクエストメッセージを受信するステップであって、前記リクエストメッセージには少なくともＵＥの第１ＭＡＣアドレスが含まれる前記受信ステップは、
前記ＷＬＡＮネットワークと前記基地局の間で層２フレーム方式により通信すれば、前記ＷＬＡＮネットワークは、前記基地局からパス確立リクエストメッセージを受信するステップであって、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれる前記受信ステップと、 
前記ＷＬＡＮネットワークと前記基地局の間でＧＴＰトンネル方式により通信すれば、前記ＷＬＡＮネットワークは、前記基地局からベアラ創立リクエストメッセージを受信するステップであって、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる前記受信ステップとを備えることを特徴とする請求項１０ないし請求項１３のいずれかに記載のデータ・オフロードのためのパスを確立する方法。
【請求項１５】
データ・オフロードのためのパス確立装置であって、基地局側に適用され、前記装置は、
１つのＵＥが指定したＷＬＡＮネットワークに接続したと確定した後、前記ＷＬＡＮネットワークにリクエストメッセージを送信する送信ユニットと、
前記ＷＬＡＮネットワークからフィードバックされた前記リクエストメッセージへの応答メッセージを受信する受信ユニットと、
前記ＵＥにパス変更確認メッセージを送信し、前記基地局から前記ＷＬＡＮネットワークにオフロードするためのパス確立が成功したことを前記ＵＥに通知する確認ユニットとを備え、
前記リクエストメッセージには少なくともＵＥの第１ＭＡＣアドレスが含まれ、前記応答メッセージには少なくとも前記ＷＬＡＮネットワークから前記リクエストメッセージに対して割り当てたパス識別子が含まれることを特徴とするデータ・オフロードのためのパス確立装置。
【請求項１６】
前記受信ユニットが受信した前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）であることを特徴とする請求項１５に記載のデータ・オフロードのためのパス確立装置。
【請求項１７】
前記ＷＬＡＮネットワークからフィードバックされた前記リクエストメッセージへの応答メッセージを受信する場合、前記受信ユニットは、
基地局と前記ＷＬＡＮネットワークの間で層２フレーム方式により通信すれば、前記ＷＬＡＮネットワークからフィードバックされたパス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれるか、または、
基地局と前記ＷＬＡＮネットワークの間でＧＴＰトンネル方式により通信すれば、前記ＷＬＡＮネットワークからフィードバックされたベアラ創立リクエストメッセージへのベアラ創立応答メッセージを受信し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれることを特徴とする請求項１６に記載のデータ・オフロードのためのパス確立装置。
【請求項１８】
前記ＵＥが指定したＷＬＡＮネットワークに接続したと確定する前、前記送信ユニットは、
現ネットワークの接続負荷がプリセットした閾値より大きいと確定する場合、前記ＵＥにオフロード通知メッセージを送信し、前記オフロード通知メッセージは、指定したＷＬＡＮネットワークの識別子及び前記ＷＬＡＮネットワークにオフロードすべきの無線ベアラの識別子を前記ＵＥに通知することに用いられ、
前記受信ユニットは、前記ＵＥからフィードバックされたオフロード確認メッセージを受信し、前記オフロード確認メッセージは、前記ＵＥが指定したＷＬＡＮネットワークへのオフロード動作を認めることを確定するためのものであることを特徴とする請求項１５に記載のデータ・オフロードのためのパス確立装置。
【請求項１９】
前記受信ユニットは、
前処理段階において、前記ＵＥからＲＲＣ（ＲＲＣ）メッセージを受信し、
前記ＵＥの第１ＭＡＣアドレスを格納し、
前記ＲＲＣメッセージには前記ＵＥの第１ＭＡＣアドレスが含まれることを特徴とする請求項１５に記載のデータ・オフロードのためのパス確立装置。
【請求項２０】
前記ＷＬＡＮネットワークにリクエストメッセージを送信する場合、前記送信ユニットは、
基地局と前記ＷＬＡＮネットワークの間で層２フレーム方式により通信すれば、前記ＷＬＡＮネットワークにパス確立リクエストメッセージを送信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、 
前記基地局と前記ＷＬＡＮネットワークの間でＧＴＰトンネル方式で通信すれば、前記ＷＬＡＮネットワークにベアラ創立リクエストメッセージを送信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれることを特徴とする請求項１５ないし請求項１９のいずれかに記載のデータ・オフロードのためのパス確立装置。
【請求項２１】
前記ＵＥにパス変更確認メッセージを送信した後、前記パス識別子に基づき、前記ＷＬＡＮネットワークにより前記ＵＥと第１部分データを交換する通信ユニットをさらに備え、
前記第１部分データは、基地局が前記ＷＬＡＮネットワークを介して前記ＵＥと交換するデータであることを特徴とする請求項２０に記載のデータ・オフロードのためのパス確立装置。
【請求項２２】
前記パス識別子に基づき、前記ＷＬＡＮネットワークにより前記ＵＥと第１部分データを交換する場合、前記通信ユニットは、
基地局と前記ＷＬＡＮネットワークの間で層２フレーム方式により通信すれば、前記パス確立リクエストメッセージ及び前記パス確立応答メッセージに基づき、前記基地局と前記ＷＬＡＮネットワークの間に少なくとも１つのオフロードパスを確立し、
前記ＷＬＡＮネットワークからフォワードされたアップリンクデータパケットを受信し、前記アップリンクデータパケットを改めてカプセル化して第１アップリンクデータパケットとし、Ｓ１ベアラにて送信し、また、前記少なくとも１つのオフロードパスに対応するＳ１ベアラからダウンリンクデータを受信した後、前記ダウンリンクデータをカプセル化してＭＡＣフレームのダウンリンクデータパケットとした後、前記ダウンリンクデータパケットを前記ＷＬＡＮネットワークにフォワードし、前記ＷＬＡＮネットワークにより前記ダウンリンクデータパケットを新たなカプセル化して第１ダウンリンクデータパケットとし、前記第１ダウンリンクデータパケットを前記ＵＥに送信し、第１部分データの交換を完成し、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記アップリンクデータパケットが前記ＷＬＡＮネットワークと前記基地局の間で伝送される場合、前記アップリンクデータパケットのソースＭＡＣアドレスを第２ＭＡＣアドレスとしてカプセル化し、ターゲットＭＡＣアドレスを前記基地局のＭＡＣアドレスとしてカプセル化し、前記ダウンリンクデータパケットのソースＭＡＣアドレスを前記基地局のＭＡＣアドレスとしてカプセル化し、ターゲットＭＡＣアドレスを第２ＭＡＣアドレスとしてカプセル化し、前記第１ダウンリンクデータパケットのソースＭＡＣアドレスを第２ＭＡＣアドレスとしてカプセル化し、ターゲットＭＡＣアドレスを第１ＭＡＣアドレスとしてカプセル化することを特徴とする請求項２１に記載のデータ・オフロードのためのパス確立装置。
【請求項２３】
前記第１ＭＡＣアドレス及び前記パス識別子に基づき、前記ＷＬＡＮネットワークにより前記ＵＥと第１部分データを交換する場合、前記通信ユニットは、
基地局と前記ＷＬＡＮネットワークの間でＧＴＰトンネル方式により通信すれば、前記ベアラ創立リクエストメッセージ及び前記ベアラ創立応答メッセージに基づき、前記基地局と前記ＷＬＡＮネットワークの間に１つの新設ベアラを確立し、
前記新設ベアラを用いて前記ＷＬＡＮネットワークからフォワードされたアップリンクデータパケットを受信し、前記新設ベアラから前記アップリンクデータパケットを受信した後、前記アップリンクデータパケットを前記新設ベアラに対応するＳ１ベアラにフォワードして送信し、ならびに、前記少なくとも１つの無線ベアラの識別子に対応するＳ１ベアラからダウンリンクデータを受信した後、前記ダウンリンクデータをＳ１ベアラに対応する新設ベアラにフォワードし、前記ＷＬＡＮネットワークにより前記ダウンリンクデータをＭＡＣフレームの第２ダウンリンクデータパケットとしてカプセル化して前記ＵＥに送信し、第２部分データの交換を完成し、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記第２ダウンリンクデータパケットのソースＭＡＣアドレスを前記ＷＬＡＮネットワークのＭＡＣアドレスとしてカプセル化し、ターゲットＭＡＣアドレスを第１ＭＡＣアドレスとしてカプセル化することを特徴とする請求項２１に記載のデータ・オフロードのためのパス確立装置。
【請求項２４】
データ・オフロードのためのパス確立装置であって、ＷＬＡＮに適用されており、前記装置は、
基地局からリクエストメッセージを受信する受信ユニットと、
前記リクエストメッセージに対してパス識別子を割り当て、前記基地局に応答メッセージを送信して、関連のパス確立情報を前記基地局に通知する送信ユニットとを備え、
前記リクエストメッセージには少なくともＵＥの第１ＭＡＣアドレスが含まれ、前記応答メッセージにはＷＬＡＮネットワークが割り当てたパス識別子が含まれることを特徴とするデータ・オフロードのためのパス確立装置。
【請求項２５】
前記送信ユニットが割り当てた前記パス識別子は、前記リクエストメッセージに対して割り当てた第２ＭＡＣアドレスであるか、または、前記リクエストメッセージに対して割り当てた第１ユーザープレーントンネルエンドポイント識別子（ＴＥＩＤ）であることを特徴とする請求項２４に記載のデータ・オフロードのためのパス確立装置。
【請求項２６】
前記リクエストメッセージに対してパス識別子を割り当て、前記基地局に応答メッセージを送信し、関連のパス確立情報を前記基地局に通知する場合、前記送信ユニットは、
前記装置と前記基地局の間で層２フレーム方式により通信すれば、前記パス確立リクエストメッセージに対してパス識別子を割り当て、前記基地局にパス確立応答メッセージを送信し、関連のパス確立情報を前記基地局に通知し、前記パス確立応答メッセージには、前記ＷＬＡＮネットワークから前記パス確立リクエストメッセージに対して割り当てた第２ＭＡＣアドレスが含まれるか、または、
前記装置と前記基地局の間でＧＴＰトンネル方式により通信すれば、前記パス確立リクエストメッセージに対してパス識別子を割り当て、前記基地局にベアラ創立応答メッセージを送信し、関連のパス確立情報を前記基地局に通知し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれることを特徴とする請求項２５に記載のデータ・オフロードのためのパス確立装置。
【請求項２７】
前記基地局からリクエストメッセージを受信する場合、前記受信ユニットは、
前記装置と前記基地局の間で層２フレーム方式により通信すれば、前記基地局からパス確立リクエストメッセージを受信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、
前記装置と前記基地局の間でＧＴＰトンネル方式により通信すれば、前記基地局からベアラ創立リクエストメッセージを受信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれることを特徴とする請求項２４ないし請求項２６のいずれかに記載のデータ・オフロードのためのパス確立装置。
【発明の詳細な説明】
【技術分野】
【０００１】
本発明は無線技術分野に関し、特に、データ・オフロードのためのパスを確立する方法及び装置に関する。
【背景技術】
【０００２】
通信分野において、ホットスポットの容量及びカバレッジ範囲を向上するため、マクロセルを集約的に配備する以外、マイクロセルの集約的な配備によりローカルスループット性能を向上する方法も考えられるが、このような異種ネットワークのシナリオにおいて、多くの問題点がある。例えば、異なる基地局伝送電力がそれぞれであるため、電力不均衡現象を起こし、特に、同じ周波数の配備の場合、セルのエッジに位置するユーザーに多大な干渉を及ぼす一方、異種ネットワークの配備による干渉は、切換性能に影響をあたえるが、同じ周波数配備の場合、もっとひどくなる。また、ネットワークノードの増加により、切換回数が多くなり、ネットワークシグナリング負荷オーバーヘッドも従って増やされ、異なるノード間のバックホールが非理想状態であれば、同一の端末が複数のノードによりサービングされることができないため、最大データピークレート及び最良のリソース利用をできない。よって、デュアル接続案を用いてこのような異種ネットワークに存在する問題点を解決する。所謂デュアル接続とは、端末が同時に２つのセルと接続し、このうち、マクロセルは制御プレーンの機能を実現するためのものであり、接続管理及びモビリティ管理を含む。
【０００３】
デュアル接続技術とは、ＵＥ（Ｕｓｅｒ  Ｅｑｕｉｐｍｅｎｔ）が非理想リングにより接続された２つのネットワークノード無線リソースを利用する進化型技術である。デュアル接続のＵＥにとって、各々ｅＮＢ（進化型基地局）は、異なる役を発揮する。これらの役はｅＮＢの電力レベルと関連する必要がなく、ＵＥにより、役もそれぞれになる。図１に示すように、ＵＥは、２つのｅＮＢの無線リソースをアグリゲーショすることによりユーザープレーンのデータ伝送を完成するが、制御プレーンのデータは、マクロｅＮＢに保持されている。
【０００４】
しかし、従来のメカニズムは、マイスター基地局（Ｍａｓｔｅｒ ｅＮＢ，ＭｅＮＢ）とセカンダリー基地局（Ｓｅｃｏｎｄａｒｙ ｅＮＢ，ＳｅＮＢ）の間のオフロードのみをサポートし、３ＧＰＰ（Ｔｈｉｒｄ Ｇｅｎｅｒａｔｉｏｎ Ｐａｒｔｎｅｒｓｈｉｐ Ｐｒｏｊｅｃｔ）の場合接続ネットワークが混雑しているが、ＷＬＡＮ（Ｗｉｒｅｌｅｓｓ Ｌｏｃａｌ Ａｒｅａ Ｎｅｔｗｏｒｋ）接続ネットワークがアイドル状態である可能性がある。また、ｅＮＢがユーザーデータを伝送する場合に利用するプロトコルスタックは図２に示され、ＷＬＡＮ接続ネットワークがユーザーデータを伝送する場合利用するプロトコルスタックは図３に示され、二者を比べれば、ｅＮＢ及びＷＬＡＮ接続ネットワークに用いられる無線接続技術がことなり、プロトコルスタックも異なるため、ｅＮＢらの間に利用するオフロード技術を直ちにｅＮＢとＷＬＡＮ接続ネットワークの間に適用することができない。
【０００５】
よって、従来のメカニズムは、ｅＮＢとＷＬＡＮネットワークの間のオフロードに適用できない。従い、３ＧＰＰ接続ネットワークが混雑する場合、ｅＮＢは、ＷＬＡＮネットワークの容量を利用して、一部のトラフィックを３ＧＰＰ接続ネットワークからＷＬＡＮネットワークにオフローデイングすることを実施できない。
【発明の概要】
【発明が解決しようとする課題】
【０００６】
本発明に係る実施例はデータ・オフロードのためのパスを確立する方法及び装置を提供し、３ＧＰＰ接続ネットワークが混雑している場合、ｅＮＢが一部のトラフィックを３ＧＰＰ接続ネットワークからＷＬＡＮネットワークにオフローデイングできない問題点を解決する。
【課題を解決するための手段】
【０００７】
本発明に係る実施例が提供するデータ・オフロードのためのパスを確立する方法は、基地局側に適用され、
基地局は、１つのＵＥが指定したＷＬＡＮネットワークに接続したと確定した後、前記ＷＬＡＮネットワークにリクエストメッセージを送信するステップであって、前記リクエストメッセージには少なくともＵＥの第１ＭＡＣアドレスが含まれる前記送信ステップと、
前記基地局は、前記ＷＬＡＮネットワークからフィードバックされた前記リクエストメッセージへの応答メッセージを受信するステップであって、前記応答メッセージには少なくとも前記ＷＬＡＮネットワークから前記リクエストメッセージに対して割り当てたパス識別子が含まれる前記受信ステップと、
前記基地局は、前記ＵＥにパス変更確認メッセージを送信し、前記基地局から前記ＷＬＡＮ ネットワークにオフロードするためのパス確立が成功したことを前記ＵＥに通知するステップとを備える。
【０００８】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【０００９】
オプションとして、前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（Ｔｕｎｎｅｌ Ｅｎｄｐｏｉｎｔ Ｉｄｅｎｔｉｆｉｅｒ, ＴＥＩＤ）である。
【００１０】
オプションとして、前記基地局が前記ＵＥが指定したＷＬＡＮネットワークに接続したと確定する前、
前記基地局は、現ネットワークの接続負荷がプリセットした閾値より大きいと確定する場合、前記ＵＥにオフロード通知メッセージを送信するステップであって、前記オフロード通知メッセージは、指定したＷＬＡＮネットワークの識別子及び前記ＷＬＡＮネットワークにオフロードすべきの無線ベアラの識別子を前記ＵＥに通知することに用いられる前記送信ステップと、
前記基地局は、前記ＵＥからフィードバックされたオフロード確認メッセージを受信するステップとを備え、前記オフロード確認メッセージは、前記ＵＥが指定したＷＬＡＮネットワークへのオフロード動作を認めることを確定するためのものである。
【００１１】
オプションとして、前処理段階において、前記基地局は、前記ＵＥからのＲＲＣ（Ｒａｄｉｏ Ｒｅｓｏｕｒｃｅ Ｃｏｎｔｒｏｌ）メッセージを受信するステップであって、前記ＲＲＣメッセージには前記ＵＥの第１ＭＡＣアドレスが含まれる前記受信ステップと、
前記基地局は、前記ＵＥの第１ＭＡＣアドレスを格納するステップとを備える。
【００１２】
オプションとして、前記基地局が前記ＷＬＡＮネットワークにリクエストメッセージを送信するステップであって、前記リクエストメッセージには少なくともＵＥの第１ＭＡＣアドレスが含まれる前記送信ステップは、
前記基地局と前記ＷＬＡＮネットワークの間で層２フレームの方式により通信すれば、前記基地局は、前記ＷＬＡＮネットワークにパス確立リクエストメッセージを送信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、
前記基地局と前記ＷＬＡＮネットワークの間でＧＴＰトンネル方式で通信すれば、前記基地局は、前記ＷＬＡＮネットワークにベアラ創立リクエストメッセージを送信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【００１３】
オプションとして、前記基地局が、前記ＷＬＡＮネットワークからフィードバックされた前記リクエストメッセージへの応答メッセージを受信するステップであって、前記応答メッセージには少なくとも前記ＷＬＡＮネットワークから前記リクエストメッセージに対して割り当てたパス識別子が含まれる前記受信ステップは、
前記基地局と前記ＷＬＡＮネットワークの間で層２フレームの方式により通信すれば、前記基地局は、前記ＷＬＡＮネットワークからフィードバックされた前記パス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれるか、
または、
前記基地局と前記ＷＬＡＮネットワークの間でＧＴＰトンネル方式で通信すれば、前記基地局は、前記ＷＬＡＮネットワークからフィードバックされた前記ベアラ創立リクエストメッセージへのベアラ創立応答メッセージを受信し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【００１４】
オプションとして、前記基地局が前記ＵＥにパス変更確認メッセージを送信した後、
前記基地局は、前記パス識別子に基づき、前記ＷＬＡＮネットワークを介して前記ＵＥと第１部分データを交換し、前記第１部分データは、基地局が前記ＷＬＡＮネットワークを介して前記ＵＥと交換するデータである。
【００１５】
オプションとして、前記基地局が、前記パス識別子に基づき、前記ＷＬＡＮネットワークを介して前記ＵＥと第１部分データを交換するステップであって、前記第１部分データは、基地局が前記ＷＬＡＮネットワークを介して前記ＵＥと交換するデータである前記交換ステップは、
前記基地局と前記ＷＬＡＮネットワークの間で層２フレームの方式により通信すれば、前記基地局は、前記パス確立リクエストメッセージ及び前記パス確立応答メッセージに基づき、前記基地局と前記ＷＬＡＮネットワークの間で少なくとも１つのオフロードパスを確立するステップと、
前記基地局は、前記ＷＬＡＮネットワークからフォワードされたアップリンクデータパケットを受信し、前記アップリンクデータパケットを改めてカプセル化して第１アップリンクデータパケットとし、Ｓ１ベアラにて送信し、また、前記少なくとも１つのオフロードパスに対応するＳ１ベアラからダウンリンクデータを受信した後、前記ダウンリンクデータをカプセル化してＭＡＣフレームのダウンリンクデータパケットとした後、前記ダウンリンクデータパケットを前記ＷＬＡＮネットワークにフォワードし、前記ＷＬＡＮネットワークにより前記ダウンリンクデータパケットを新たなカプセル化して第１ダウンリンクデータパケットとし、前記第１ダウンリンクデータパケットを前記ＵＥに送信し、第１部分データの交換を完成し、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記アップリンクデータパケットが前記ＷＬＡＮネットワークと前記基地局の間で伝送される場合、前記アップリンクデータパケットのソースＭＡＣアドレスを第２ＭＡＣアドレスとしてカプセル化し、ターゲットＭＡＣアドレスを前記基地局のＭＡＣアドレスとしてカプセル化し、前記ダウンリンクデータパケットのソースＭＡＣアドレスを前記基地局のＭＡＣアドレスとしてカプセル化し、ターゲットＭＡＣアドレスを第２ＭＡＣアドレスとしてカプセル化し、前記第１ダウンリンクデータパケットのソースＭＡＣアドレスを第２ＭＡＣアドレスとしてカプセル化し、ターゲットＭＡＣアドレスを第１ＭＡＣアドレスとしてカプセル化する。
【００１６】
オプションとして、前記基地局が、前記パス識別子に基づき、前記ＷＬＡＮネットワークを介して前記ＵＥと第１部分データを交換するステップであって、前記第１部分データは、基地局が前記ＷＬＡＮネットワークを介して前記ＵＥと交換するデータである前記交換ステップは、
前記基地局と前記ＷＬＡＮネットワークの間でＧＴＰトンネル方式で通信すれば、前記基地局は、前記ベアラ創立リクエストメッセージ及び前記ベアラ創立応答メッセージに基づき、前記基地局と前記ＷＬＡＮネットワークの間に１つの新設ベアラを創立し、
前記基地局は、前記新設ベアラを用いて、前記ＷＬＡＮネットワークからフォワードされたアップリンクデータパケットを受信し、前記新設ベアラから前記アップリンクデータパケットを受信した後、前記アップリンクデータパケットを前記新設ベアラに対応するＳ１ベアラにフォワードして送信し、ならびに、前記少なくとも１つの無線ベアラの識別子に対応するＳ１ベアラからダウンリンクデータを受信した後、前記ダウンリンクデータをＳ１ベアラに対応する新設ベアラにフォワードし、前記ＷＬＡＮネットワークにより前記ダウンリンクデータをＭＡＣフレームの第２ダウンリンクデータパケットとしてカプセル化して前記ＵＥに送信し、第２部分データの交換を完成し、ここで、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記第２ダウンリンクデータパケットのソースＭＡＣアドレスを前記ＷＬＡＮネットワークのＭＡＣアドレスとしてカプセル化し、ターゲットＭＡＣアドレスを第１ＭＡＣアドレスとしてカプセル化する。
【００１７】
本発明に係る実施例が提供するデータ・オフロードのためのパスを確立する方法は、ＷＬＡＮに適用され、
ＷＬＡＮネットワークは、基地局からリクエストメッセージを受信するステップであって、前記リクエストメッセージには少なくともＵＥの第１ＭＡＣアドレスが含まれる前記受信ステップと、
前記ＷＬＡＮネットワークは、前記リクエストメッセージに対してパス識別子を割り当て、前記基地局に応答メッセージを送信し、関連のパス確立情報を前記基地局に通知するステップとを備え、前記応答メッセージには前記ＷＬＡＮネットワークが割り当てたパス識別子が含まれる。
【００１８】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【００１９】
オプションとして、前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）である。
【００２０】
オプションとして、前記ＷＬＡＮネットワークが、前記リクエストメッセージに対してパス識別子を割り当てることは、
前記ＷＬＡＮネットワークにおけるゲートウェイは、前記リクエストメッセージに対してパス識別子を割り当てるか、または、
前記ＷＬＡＮネットワークにおけるアクセスポイント（ＡＰ）は、前記リクエストメッセージに対してパス識別子を割り当て、
前記パス識別子は、前記ＷＬＡＮネットワークと前記基地局間に位置するオフロードすべきの第１部分データ伝送パスを識別するためのものである。
【００２１】
オプションとして、前記ＷＬＡＮネットワークが前記基地局からリクエストメッセージを受信するステップであって、前記リクエストメッセージには少なくともＵＥの第１ＭＡＣアドレスが含まれる前記受信ステップは、
前記ＷＬＡＮネットワークと前記基地局の間で層２フレーム方式により通信すれば、前記ＷＬＡＮネットワークは、前記基地局からパス確立リクエストメッセージを受信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、
前記ＷＬＡＮネットワークと前記基地局の間でＧＴＰトンネル方式により通信すれば、前記ＷＬＡＮネットワークは、前記基地局からベアラ創立リクエストメッセージを受信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【００２２】
オプションとして、前記ＷＬＡＮネットワークが、前記リクエストメッセージに対してパス識別子を割り当て、前記基地局に応答メッセージを送信し、関連のパス確立情報を前記基地局に通知するステップであって、前記応答メッセージには前記ＷＬＡＮネットワークが割り当てたパス識別子が含まれる前記通知ステップは、
前記ＷＬＡＮネットワークと前記基地局の間で層２フレーム方式により通信すれば、前記ＷＬＡＮネットワークは、前記リクエストメッセージに対してパス識別子を割り当て、前記基地局にパス確立応答メッセージを送信し、関連のパス確立情報を前記基地局に通知し、前記パス確立応答メッセージには、前記ＷＬＡＮネットワークから前記パス確立リクエストメッセージに対して割り当てた第２ＭＡＣアドレスが含まれるか、
または、
前記ＷＬＡＮネットワークと前記基地局の間でＧＴＰトンネル方式により通信すれば、前記ＷＬＡＮネットワークは、前記リクエストメッセージに対してパス識別子を割り当て、前記基地局にベアラ創立応答メッセージを送信し、関連のパス確立情報を前記基地局に通知し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【００２３】
本発明に係る実施例が提供するデータ・オフロードのためのパス確立装置は、基地局側に適用され、
１つのＵＥが指定したＷＬＡＮネットワークに接続したと確定した後、前記ＷＬＡＮネットワークにリクエストメッセージを送信しする送信ユニットであって、前記リクエストメッセージには少なくともＵＥの第１ＭＡＣアドレスが含まれる前記送信ユニットと、
前記ＷＬＡＮネットワークからフィードバックされた前記リクエストメッセージへの応答メッセージを受信する受信ユニットであって、前記応答メッセージには少なくとも前記ＷＬＡＮネットワークから前記リクエストメッセージに対して割り当てたパス識別子が含まれる前記受信ユニットと、
前記ＵＥにパス変更確認メッセージを送信し、前記基地局から前記ＷＬＡＮ ネットワークにオフロードするためのパス確立が成功したことを前記ＵＥに通知する確認ユニットとを備える。
【００２４】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【００２５】
オプションとして、前記受信ユニットが受信した前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）である。
【００２６】
オプションとして、前記ＵＥが指定したＷＬＡＮネットワークに接続したと確定する前、前記送信ユニットは、
現ネットワークの接続負荷がプリセットした閾値より大きいと確定する場合、前記ＵＥにオフロード通知メッセージを送信し、前記オフロード通知メッセージは、指定したＷＬＡＮネットワークの識別子及び前記ＷＬＡＮネットワークにオフロードすべきの無線ベアラの識別子を前記ＵＥに通知することに用いられ、
前記受信ユニットは、前記ＵＥからフィードバックされたオフロード確認メッセージを受信し、前記オフロード確認メッセージは、前記ＵＥが指定したＷＬＡＮネットワークへのオフロード動作を認めることを確定するためのものである。
【００２７】
オプションとして、前記受信ユニットは、
前処理段階において、前記ＵＥからＲＲＣ（ＲＲＣ）メッセージを受信し、前記ＲＲＣメッセージには前記ＵＥの第１ＭＡＣアドレスが含まれ、
前記ＵＥの第１ＭＡＣアドレスを格納する。
【００２８】
オプションとして、前記ＷＬＡＮネットワークにリクエストメッセージを送信する場合、前記送信ユニットは、
基地局と前記ＷＬＡＮネットワークの間で層２フレーム方式により通信すれば、前記ＷＬＡＮネットワークにパス確立リクエストメッセージを送信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、
前記基地局と前記ＷＬＡＮネットワークの間でＧＴＰトンネル方式で通信すれば、前記ＷＬＡＮネットワークにベアラ創立リクエストメッセージを送信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【００２９】
オプションとして、前記ＷＬＡＮネットワークからフィードバックされた前記リクエストメッセージへの応答メッセージを受信する場合、前記受信ユニットは、
基地局と前記ＷＬＡＮネットワークの間で層２フレーム方式により通信すれば、前記ＷＬＡＮネットワークからフィードバックされた前記パス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれるか、または、
基地局と前記ＷＬＡＮネットワークの間でＧＴＰトンネル方式により通信すれば、前記ＷＬＡＮネットワークからフィードバックされた前記ベアラ創立リクエストメッセージへのベアラ創立応答メッセージを受信し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【００３０】
オプションとして、前記ＵＥにパス変更確認メッセージを送信した後、前記パス識別子に基づき、前記ＷＬＡＮネットワークにより前記ＵＥと第１部分データを交換する通信ユニットをさらに備え、前記第１部分データは、基地局が前記ＷＬＡＮネットワークを介して前記ＵＥと交換するデータである。
【００３１】
オプションとして、前記パス識別子に基づき、前記ＷＬＡＮネットワークにより前記ＵＥと第１部分データを交換する場合、前記通信ユニットは、
基地局と前記ＷＬＡＮネットワークの間で層２フレーム方式により通信すれば、前記パス確立リクエストメッセージ及び前記パス確立応答メッセージに基づき、前記基地局と前記ＷＬＡＮネットワークの間に少なくとも１つのオフロードパスを確立し、
前記ＷＬＡＮネットワークからフォワードされたアップリンクデータパケットを受信し、前記アップリンクデータパケットを改めてカプセル化して第１アップリンクデータパケットとし、Ｓ１ベアラにて送信し、また、前記少なくとも１つのオフロードパスに対応するＳ１ベアラからダウンリンクデータを受信した後、前記ダウンリンクデータをカプセル化してＭＡＣフレームのダウンリンクデータパケットとした後、前記ダウンリンクデータパケットを前記ＷＬＡＮネットワークにフォワードし、前記ＷＬＡＮネットワークにより前記ダウンリンクデータパケットを新たなカプセル化して第１ダウンリンクデータパケットとし、前記第１ダウンリンクデータパケットを前記ＵＥに送信し、第１部分データの交換を完成し、ここで、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記アップリンクデータパケットが前記ＷＬＡＮネットワークと前記基地局の間で伝送される場合、前記アップリンクデータパケットのソースＭＡＣアドレスを第２ＭＡＣアドレスとしてカプセル化し、ターゲットＭＡＣアドレスを前記基地局のＭＡＣアドレスとしてカプセル化し、前記ダウンリンクデータパケットのソースＭＡＣアドレスを前記基地局のＭＡＣアドレスとしてカプセル化し、ターゲットＭＡＣアドレスを第２ＭＡＣアドレスとしてカプセル化し、前記第１ダウンリンクデータパケットのソースＭＡＣアドレスを第２ＭＡＣアドレスとしてカプセル化し、ターゲットＭＡＣアドレスを第１ＭＡＣアドレスとしてカプセル化する。
【００３２】
オプションとして、前記パス識別子に基づき、前記ＷＬＡＮネットワークにより前記ＵＥと第１部分データを交換する場合、前記通信ユニットは、
基地局と前記ＷＬＡＮネットワークの間でＧＴＰトンネル方式により通信すれば、前記ベアラ創立リクエストメッセージ及び前記ベアラ創立応答メッセージに基づき、前記基地局と前記ＷＬＡＮネットワークの間に１つの新設ベアラを確立し、
前記新設ベアラを用いて前記ＷＬＡＮネットワークからフォワードされたアップリンクデータパケットを受信し、前記新設ベアラから前記アップリンクデータパケットを受信した後、前記アップリンクデータパケットを前記新設ベアラに対応するＳ１ベアラにフォワードして送信し、ならびに、前記少なくとも１つの無線ベアラの識別子に対応するＳ１ベアラからダウンリンクデータを受信した後、前記ダウンリンクデータをＳ１ベアラに対応する新設ベアラにフォワードし、前記ＷＬＡＮネットワークにより前記ダウンリンクデータをＭＡＣフレームの第２ダウンリンクデータパケットとしてカプセル化して前記ＵＥに送信し、第２部分データの交換を完成し、ここで、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記第２ダウンリンクデータパケットのソースＭＡＣアドレスを前記ＷＬＡＮネットワークのＭＡＣアドレスとしてカプセル化し、ターゲットＭＡＣアドレスを第１ＭＡＣアドレスとしてカプセル化する。
【００３３】
本発明に係る実施例が提供するデータ・オフロードのためのパス確立装置は、ＷＬＡＮに適用され、
基地局からリクエストメッセージを受信し、前記リクエストメッセージには少なくともＵＥの第１ＭＡＣアドレスが含まれる受信ユニットと、
前記リクエストメッセージに対してパス識別子を割り当て、前記基地局に応答メッセージを送信し、関連のパス確立情報を前記基地局に通知し、前記応答メッセージには前記ＷＬＡＮネットワークが割り当てたパス識別子が含まれる送信ユニットとを備える。
【００３４】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【００３５】
オプションとして、前記送信ユニットが割り当てた前記パス識別子は、前記リクエストメッセージに対して割り当てた第２ＭＡＣアドレスであるか、または、前記リクエストメッセージに対して割り当てた第１ユーザープレーントンネルエンドポイント識別子（ＴＥＩＤ）である。
【００３６】
オプションとして、前記基地局からリクエストメッセージを受信する場合、前記受信ユニットは、
前記装置と前記基地局の間で層２フレーム方式により通信すれば、前記基地局からパス確立リクエストメッセージを受信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、
前記装置と前記基地局の間でＧＴＰトンネル方式により通信すれば、前記基地局からベアラ創立リクエストメッセージを受信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【００３７】
オプションとして、前記リクエストメッセージに対してパス識別子を割り当て、前記基地局に応答メッセージを送信し、関連のパス確立情報を前記基地局に通知する場合、前記送信ユニットは、
前記装置と前記基地局の間で層２フレーム方式により通信すれば、前記リクエストメッセージに対してパス識別子を割り当て、前記基地局にパス確立応答メッセージを送信し、関連のパス確立情報を前記基地局に通知し、前記パス確立応答メッセージには、前記ＷＬＡＮネットワークから前記パス確立リクエストメッセージに対して割り当てた第２ＭＡＣアドレスが含まれるか、または、
前記装置と前記基地局の間でＧＴＰトンネル方式により通信すれば、前記リクエストメッセージに対してパス識別子を割り当て、前記基地局にベアラ創立応答メッセージを送信し、関連のパス確立情報を前記基地局に通知し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【００３８】
本発明に係る実施例が提供するネットワーク側機器は、プロセッサを備え、
前記プロセッサは、メモリに格納されたプログラムを読み出し、
１つのＵＥが指定したＷＬＡＮネットワークに接続したと確定した後、送受信機により前記ＷＬＡＮネットワークにリクエストメッセージを送信し、送受信機により前記ＷＬＡＮネットワークからフィードバックされた前記リクエストメッセージへの応答メッセージを受信し、送受信機により前記ＵＥにパス変更確認メッセージを送信し、前記基地局から前記ＷＬＡＮ ネットワークにオフロードするためのパス確立が成功したことを前記ＵＥに通知し、前記リクエストメッセージには少なくともＵＥの第１ＭＡＣアドレスが含まれ、前記応答メッセージには少なくとも前記ＷＬＡＮネットワークから前記リクエストメッセージに対して割り当てたパス識別子が含まれる。
【００３９】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【００４０】
オプションとして、送受信機により受信した前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）である。
【００４１】
オプションとして、前記ＵＥが指定したＷＬＡＮネットワークに接続したと確定する前、前記プロセッサは、
現ネットワークの接続負荷がプリセットした閾値より大きいと確定する場合、送受信機により前記ＵＥにオフロード通知メッセージを送信し、前記オフロード通知メッセージは、指定したＷＬＡＮネットワークの識別子及び前記ＷＬＡＮネットワークにオフロードすべきの無線ベアラの識別子を前記ＵＥに通知することに用いられ、
オプションとして、プロセッサ送受信機により前記ＵＥからフィードバ ックされたオフロード確認メッセージを受信し、前記オフロード確認メッセージは、前記ＵＥが指定したＷＬＡＮネットワークへのオフロード動作を認めることを確定するためのものである。
【００４２】
オプションとして、プロセッサは、
前処理段階において、送受信機により前記ＵＥからＲＲＣ（ＲＲＣ）メッセージを受信し、前記ＲＲＣメッセージには前記ＵＥの第１ＭＡＣアドレスが含まれ、
前記ＵＥの第１ＭＡＣアドレスを格納する。
【００４３】
オプションとして、送受信機により前記ＷＬＡＮネットワークにリクエストメッセージを送信する場合、プロセッサは、
基地局と前記ＷＬＡＮネットワークの間で層２フレーム方式により通信すれば、送受信機により前記ＷＬＡＮネットワークにパス確立リクエストメッセージを送信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、
前記基地局と前記ＷＬＡＮネットワークの間でＧＴＰトンネル方式で通信すれば、送受信機により前記ＷＬＡＮネットワークにベアラ創立リクエストメッセージを送信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【００４４】
オプションとして、送受信機により前記ＷＬＡＮネットワークからフィードバックされた前記リクエストメッセージへの応答メッセージを受信する場合、プロセッサは、
基地局と前記ＷＬＡＮネットワークの間で層２フレーム方式により通信すれば、送受信機により前記ＷＬＡＮネットワークからフィードバックされた前記パス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれるか、または、
基地局と前記ＷＬＡＮネットワークの間でＧＴＰトンネル方式により通信すれば、送受信機により前記ＷＬＡＮネットワークからフィードバックされた前記ベアラ創立リクエストメッセージへのベアラ創立応答メッセージを受信し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【００４５】
オプションとして、プロセッサは、送受信機により前記ＵＥにパス変更確認メッセージを送信した後、前記パス識別子に基づき、前記ＷＬＡＮネットワークにより前記ＵＥと第１部分データを交換し、前記第１部分データは、基地局が前記ＷＬＡＮネットワークを介して前記ＵＥと交換するデータである。
【００４６】
オプションとして、前記パス識別子に基づき、前記ＷＬＡＮネットワークにより前記ＵＥと第１部分データを交換する場合、プロセッサは、
基地局と前記ＷＬＡＮネットワークの間で層２フレーム方式により通信すれば、前記パス確立リクエストメッセージ及び前記パス確立応答メッセージに基づき、前記基地局と前記ＷＬＡＮネットワークの間に少なくとも１つのオフロードパスを確立し、
前記ＷＬＡＮネットワークからフォワードされたアップリンクデータパケットを受信し、前記アップリンクデータパケットを改めてカプセル化して第１アップリンクデータパケットとし、Ｓ１ベアラにて送信し、また、前記少なくとも１つのオフロードパスに対応するＳ１ベアラからダウンリンクデータを受信した後、前記ダウンリンクデータをカプセル化してＭＡＣフレームのダウンリンクデータパケットとした後、前記ダウンリンクデータパケットを前記ＷＬＡＮネットワークにフォワードし、前記ＷＬＡＮネットワークにより前記ダウンリンクデータパケットを新たなカプセル化して第１ダウンリンクデータパケットとし、前記第１ダウンリンクデータパケットを前記ＵＥに送信し、第１部分データの交換を完成し、ここで、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記アップリンクデータパケットが前記ＷＬＡＮネットワークと前記基地局の間で伝送される場合、前記アップリンクデータパケットのソースＭＡＣアドレスを第２ＭＡＣアドレスとしてカプセル化し、ターゲットＭＡＣアドレスを前記基地局のＭＡＣアドレスとしてカプセル化し、前記ダウンリンクデータパケットのソースＭＡＣアドレスを前記基地局のＭＡＣアドレスとしてカプセル化し、ターゲットＭＡＣアドレスを第２ＭＡＣアドレスとしてカプセル化し、前記第１ダウンリンクデータパケットのソースＭＡＣアドレスを第２ＭＡＣアドレスとしてカプセル化し、ターゲットＭＡＣアドレスを第１ＭＡＣアドレスとしてカプセル化する。
【００４７】
オプションとして、前記第１ＭＡＣアドレス及び前記パス識別子に基づき、前記ＷＬＡＮネットワークにより前記ＵＥと第１部分データを交換する場合、プロセッサは、
基地局と前記ＷＬＡＮネットワークの間でＧＴＰトンネル方式により通信すれば、前記ベアラ創立リクエストメッセージ及び前記ベアラ創立応答メッセージに基づき、前記基地局と前記ＷＬＡＮネットワークの間に１つの新設ベアラを確立し、
前記新設ベアラを用いて前記ＷＬＡＮネットワークからフォワードされたアップリンクデータパケットを受信し、前記新設ベアラから前記アップリンクデータパケットを受信した後、前記アップリンクデータパケットを前記新設ベアラに対応するＳ１ベアラにフォワードして送信し、ならびに、前記少なくとも１つの無線ベアラの識別子に対応するＳ１ベアラからダウンリンクデータを受信した後、前記ダウンリンクデータをＳ１ベアラに対応する新設ベアラにフォワードし、前記ＷＬＡＮネットワークにより前記ダウンリンクデータをＭＡＣフレームの第２ダウンリンクデータパケットとしてカプセル化して前記ＵＥに送信し、第２部分データの交換を完成し、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記第２ダウンリンクデータパケットのソースＭＡＣアドレスを前記ＷＬＡＮネットワークのＭＡＣアドレスとしてカプセル化し、ターゲットＭＡＣアドレスを第１ＭＡＣアドレスとしてカプセル化する。
【００４８】
送受信機は、プロセッサの制御によりデータを送受信する。
【００４９】
本発明に係る実施例が提供するネットワーク側機器は、プロセッサを備え、
前記プロセッサは、メモリに格納されたプログラムを読み出し、送受信機により基地局からリクエストメッセージを受信し、前記リクエストメッセージには少なくともＵＥの第１ＭＡＣアドレスが含まれ、前記リクエストメッセージに対してパス識別子を割り当て、送受信機により前記基地局に応答メッセージを送信し、関連のパス確立情報を前記基地局に通知し、前記応答メッセージには前記ＷＬＡＮネットワークが割り当てたパス識別子が含まれる。
【００５０】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【００５１】
オプションとして、前記プロセッサ側が割り当てた前記パス識別子は、前記リクエストメッセージに対して割り当てた第２ＭＡＣアドレスであるか、または、前記リクエストメッセージに対して割り当てた第１ユーザープレーントンネルエンドポイント識別子（ＴＥＩＤ）である。
【００５２】
オプションとして、送受信機により前記基地局からリクエストメッセージを受信する場合、前記プロセッサは、
前記ネットワーク側機器と前記基地局の間で層２フレーム方式により通信すれば、送受信機により前記基地局からパス確立リクエストメッセージを受信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、
前記ネットワーク側機器と前記基地局の間でＧＴＰトンネル方式により通信すれば、送受信機により前記基地局からベアラ創立リクエストメッセージを受信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【００５３】
オプションとして、前記リクエストメッセージに対してパス識別子を割り当て、送受信機により前記基地局に応答メッセージを送信し、関連のパス確立情報を前記基地局に通知する場合、前記プロセッサは、
前記ネットワーク側機器と前記基地局の間で層２フレーム方式により通信すれば、前記リクエストメッセージに対してパス識別子を割り当て、送受信機により前記基地局にパス確立応答メッセージを送信し、関連のパス確立情報を前記基地局に通知し、前記パス確立応答メッセージには、前記ＷＬＡＮネットワークから前記パス確立リクエストメッセージに対して割り当てた第２ＭＡＣアドレスが含まれるか、または、
前記ネットワーク側機器と前記基地局の間でＧＴＰトンネル方式により通信すれば、前記リクエストメッセージに対してパス識別子を割り当て、送受信機により前記基地局にベアラ創立応答メッセージを送信し、関連のパス確立情報を前記基地局に通知し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【００５４】
送受信機は、プロセッサの制御によりデータを送受信する。
【図面の簡単な説明】
【００５５】
【図１】ジュライのデュアル接続を示す図である。
【図２】ｅＮＢがユーザーデータを伝送するのに利用したプロトコルスタックを示す図である。
【図３】ＷＬＡＮ接続ネットワークがユーザーデータを伝送するのに利用したプロトコルスタックを示す図である。
【図４】サービングゲートウェイからマイスターセル及びセカンダリーセルへ直ちにオフロードすることを示す図である。
【図５Ａ】マイスターセルがセカンダリーセルにオフロードすることを示す図である。
【図５Ｂ】マイスターセルがセカンダリーセルにオフロードすることを示す図である。
【図６】ＷＬＡＮ接続ネットワークの論理構造を示す図である。
【図７】本発明に係る実施例１におけるパス確立方法のフローチャートである。
【図８】本発明に係る実施例１におけるｅＮＢが決めたオフロードのフローチャートである。
【図９】本発明に係る実施例２のパス確立方法フローチャートである。
【図１０】本発明に係る実施例３のパス確立方法フローチャートである。
【図１１】本発明に係る実施例４のパス確立方法フローチャートである。
【図１２】本発明に係る実施例５のパス確立装置の構造図である。
【図１３】本発明に係る実施例６のパス確立装置の構造図である。
【図１４】本発明に係る実施例７のパス確立装置の構造図である。
【図１５】本発明に係る実施例８のパス確立装置の構造図である。
【発明を実施するための形態】
【００５６】
以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。
【００５７】
デュアル接続技術とは、ＵＥが２つのｅＮＢと同時に接続し、同時に２つのｅＮＢの無線リソースでユーザーデータを伝送する技術である。当該２つのｅＮＢの作用は異なり、１つはＭｅＮＢであり、他の1つはＳｅＮＢである、ＭｅＮＢは、オフロード動作を制御する。
【００５８】
デュアル接続技術は２種のオフロード方式をサポートし、当該２種のオフロード方式の相違点としては、オフロードポイントが異なる点にある。１つのオフロード方式のオフロードポイントは、コアネットワークにおけるゲートウェイ（Ｓｅｒｖｉｎｇ ＧＷ，Ｓ−ＧＷ）であり、このようなオフロード方式の場合、Ｓ−ＧＷがＭｅＮＢ及びＳｅＮＢに直ちにオフロードし、ＭｅＮＢは、Ｓｅｒｖｉｎｇ ＧＷがどのトラフィックをＳｅＮＢを介してＵＥに送信するのかを決める。このようなオフロード方式は、図４に示されている。他の1つのオフロード方式のオフロードポイントはＭｅＮＢであり、このようなオフロード方式の下で、Ｓ−ＧＷは、ユーザーの全トラフィックをＭｅＮＢ（即ち、Ｓ−ＧＷがオフロードせず）に送信し、ＭｅＮＢは、ユーザーの一部のトラフィックをＳｅＮＢを介してＵＥに送信する。このようなオフロード方式は図５Ａに示されている。
【００５９】
本発明に係る実施例において、ｅＮＢからＷＬＡＮへ直ちにオフロードする方法を主に注目するため、形式上で、このようなオフロード方式がＭｅＮＢからＳｅＮＢへのオフロードと同様であり、したがって、ここで、ＭｅＮＢからＳｅＮＢへのオフロード方法を詳細に説明する。ＭｅＮＢからＳｅＮＢへのオフロードは図５Ｂに示されている。
【００６０】
Ｓｔｅｐ１：ＭｅＮＢは、ある１つのＵＥのためにＳｅＮＢを選定することを決め、ＭｅＮＢは、ＳｅＮＢにセカンダリー基地局追加リクエスト（ＳｅＮＢ Ａｄｄｉｔｉｏｎ Ｒｅｕｑｅｓｔ）メッセージを発送し、まもなく転移するＥ−ＲＡＢ（Ｅｖｏｌｖｅｄ Ｒａｄｉｏ Ａｃｃｅｓｓ Ｂｅａｒｅｒ）のためにエア・インタフェースリソースを割り当てるようにＳｅＮＢにリクエストし、Ｅ−ＲＡＢの属性情報（Ｅ−ＲＡＢパラメータ、TNL等の情報）、ＵＥ機能情報等のパラメータを示す。ＭｅＮＢは、セカンダリーセルグループにおいて、マイスターセルグループ（Ｍａｓｔｅｒ Ｃｅｌｌ Ｇｒｏｕｐ，ＭＣＧ）の構成及びＵＥ機能情報が含まれる情報エレメント（ＳＣＧ−ＣｏｎｆｉｇＩｎｆｏＩＥ）を設定することもできる。また、ＭｅＮＢは、セカンダリーセルグループ（Ｓｅｃｏｎｄａｒｙ Ｃｅｌｌ Ｇｒｏｕｐ，ＳＣＧ） cell（s）の最新測定結果を提供することもできる。ＳｅＮＢは当該リクエストを拒否することができる。
【００６１】
Ｓｔｅｐ２： ＳｅＮＢの無線リソース管理（Ｒａｄｉｏ Ｒｅｓｏｕｒｃｅ Ｍａｎａｇｅｍｅｎｔ，ＲＲＭ）エンティティがリソース割り当てリクエストを認めようと決定すれば、これに応じて、ＳｅＮＢは対応の無線リソースを割り当て、ネットワークリソースを伝送する。
【００６２】
Ｓｔｅｐ３： ＭｅＮＢがＳｅＮＢの新構成を認めれば、ＲＲＣ接続再構成（ＲＲＣ Ｃｏｎｎｅｃｔｉｏｎ Ｒｅｃｏｎｆｉｇｕｒａｔｉｏｎ）をトリガーし、ＵＥは新構成を適用し始まる。
【００６３】
Ｓｔｅｐ４：ＵＥが再構を完成した後、ＲＲＣ接続再構成完成（ＲＲＣ Ｃｏｎｎｅｃｔｉｏｎ Ｒｅｃｏｎｆｉｇｕｒａｔｉｏｎ Ｃｏｍｐｌｅｔｅ）メッセージを送信する。ＵＥが当該構成に従うことができなければ、再構成失敗フローチャートを実施する。
【００６４】
Ｓｔｅｐ５：ＭｅＮＢはＳｅＮＢに、ＵＥが再構成成功したことを通知する。
【００６５】
Ｓｔｅｐ６：ＵＥは、ＳｅＮＢはランダムアクセスプロセスをトリガーする。ここで、Ｓｔｅｐ４及びＳｔｅｐ６は厳格な順位関係がない。
【００６６】
本発明に係る実施例において、ｅＮＢからＷＬＡＮへ直ちにオフロードする方法を主に注目し、ＷＬＡＮ接続ネットワークの論理構造は、アクセスポイント、ゲートウェイ及び認証デバイス等を含む。ここで、信頼できるＷＬＡＮ接続ネットワーク（Ｔｒｕｓｔｅｄ ＷＬＡＮ Ａｃｃｅｓｓ Ｎｅｔｗｏｒｋ，ＴＷＡＮ）の例を挙げて、ＷＬＡＮ接続ネットワークの論理構造を説明し、詳しくは図６に示すように、実際の実施において、論理アーキテクチャにおけるすべてのモジュールは、同一の物理エンティティにおいて実現できる可能性もあるし、それぞれ異なる物理エンティティにおいて実現できる可能性もある。本発明に係る実施例において、ｅＮＢからＷＬＡＮネットワークにおけるどちらかの論理モジュールへオフロードするのかについてい制限しない。通信事業者のコアネットワークに接続したＷＬＡＮネットワークが信頼できるかは、通信事業者の設定により決められる。図６におけるアーキテクチャは、下記の論理エンティティが含まれる。
【００６７】
ＷＬＡＮ接続ネットワーク（ＷＬＡＮ Ａｃｃｅｓｓ Ｎｅｔｗｏｒｋ，ＷＬＡＮ ＡＮ）は、１つまたは複数のＷＬＡＮアクセスポイント（Ａｃｃｅｓｓ Ｐｏｉｎｔ，ＡＰ）からなり、アクセスポイントは、ＵＥのＷＬＡＮ ＩＥＥＥ ８０２.１１リンクを終了させる。
【００６８】
信頼できるＷＬＡＮは、ゲートウェイ（Ｔｒｕｓｔｅｄ ＷＬＡＮ Ａｃｃｅｓｓ Ｇａｔｅｗａｙ，ＴＷＡＧ）に接続し、ＵＥのデータを通信事業者のコアネットワークへフォワードする役名を立つ。
【００６９】
１）ＴＷＡＮがＴＳＣＭ（Ｔｒａｎｓｐａｒｅｎｔ Ｓｉｎｇｌｅ−Ｃｏｎｎｅｃｔｉｏｎ ｍｏｄｅ）またはＳＣＭ（Ｓｉｎｇｌｅ−Ｃｏｎｎｅｃｔｉｏｎ ｍｏｄｅ）を用いてＵＥにＥＰＣ（Ｅｖｏｌｖｅｄ Ｐａｃｋｅｔ Ｃｏｒｅ）アクセスを提供する場合、ＴＷＡＧは、ＵＥ-ＴＷＡＧｐｏｉｎｔ−ｔｏ−ｐｏｉｎｔリンクとＵＥのＳ２ａトンネルの間でデータパケットをフォワードする。
【００７０】
２）ＴＷＡＮがＭＣＭ（Ｍｕｌｔｉ−Ｃｏｎｎｅｃｔｉｏｎ ｍｏｄｅ）によりＵＥにＥＰＣアクセスを提供する場合、ＴＷＡＧは、特定のＰＤＮ（Ｐａｃｋｅｔ Ｄａｔａ Ｎｅｔｗｏｒｋ，ＰＤＮ）接続と関連するＵＥ-ＴＷＡＧpoint-to-pointリンクと関連のS２ａトンネルの間でユーザープレーンデータをフォワードする。
【００７１】
３）ＴＷＡＮがＭＣＭでＵＥにＥＰＣアクセスを提供する場合、ＵＥとＴＷＡＧの間でＷＬＡＮ制御プロトコル（ＷＬＡＮ Ｃｏｎｔｒｏｌ Ｐｒｏｔｏｃｏｌ，ＷＬＣＰ）シグナリングが利用される。
【００７２】
信頼できるＷＬＡＮ ＡＡＡプロキシ（Ｔｒｕｓｔｅｄ ＷＬＡＮ ＡＡＡ Ｐｒｏｘｙ，ＴＷＡＰ）は、ＵＥを認証する責任を担当し、ＷＬＡＮアクセスネットワーク（ＷＬＡＮ Ａｃｅｓｓ Ｎｅｔｗｏｒｋ，ＷＬＡＮ ＡＮ）と３ＧＰＰ（３ｒｄ Ｇｅｎｅｒａｔｉｏｎ Ｐａｒｔｎｅｒｓｈｉｐ Ｐｒｏｊｅｃｔ，３ＧＰＰ）認証、授権及び会計処理（Ａｕｔｈｅｎｔｉｃａｔｉｏｎ、Ａｕｔｈｏｒｉｚａｔｉｏｎ、Ａｃｃｏｕｎｔｉｎｇ，ＡＡＡ）サーバー（Ｓｅｒｖｅｒ）または３ＧＰＰ ＡＡＡ Ｐｒｏｘｙ（プロキシ）の間でＡＡＡ情報を中継する。
【００７３】
ＭｅＮＢからＳｅＮＢへのオフロードする方法をベースとし、図７に示すように、本発明に係る実施例１が提供するｅＮＢからＷＬＡＮへ直ちにオフロードするパス確立方法は、基地局側に適用され、詳細なフローチャート以下で説明する。
【００７４】
ステップ７００：基地局は、１つのＵＥが指定したＷＬＡＮネットワークに接続したと確定した後、前記ＷＬＡＮネットワークにリクエストメッセージを送信し、リクエストメッセージには、少なくともＵＥの第１ＭＡＣ（Ｍｅｄｉａ Ａｃｃｅｓｓ Ｃｏｎｔｒｏｌ）アドレスが含まれる。
【００７５】
さらに、前処理段階において、基地局は、当該ＵＥからＲＲＣ（Ｒａｄｉｏ Ｒｅｓｏｕｒｃｅ Ｃｏｎｔｒｏｌ）メッセージを受信し、当該ＲＲＣメッセージには、当該ＵＥの第１ＭＡＣアドレスが含まれ、そして、基地局は、当該ＵＥの第１ＭＡＣアドレスを格納する。
【００７６】
例えば、ＵＥは、ＲＲＣ接続再構成完成メッセージ（詳しくは３ＧＰＰ ＴＳ ３６.３３１を参照されたい）に自身のＭＡＣアドレスを含ませることにより、ＭＡＣアドレスをｅＮＢに送信することを実施する。ｅＮＢは、ローカルに当該情報を格納し、当該ＭＡＣアドレスは、ＵＥの初期ＭＡＣアドレス、すなわち、製品出荷際のＭＡＣアドレスである。
【００７７】
さらに、基地局が当該ＵＥが指定したＷＬＡＮネットワークに接続したと確定する場合、現ネットワークの接続負荷がプリセットした閾値より大きいと確定する場合、前記ＵＥにオフロード通知メッセージを送信し、前記オフロード通知メッセージは、指定したＷＬＡＮネットワークの識別子及び前記ＷＬＡＮネットワークへオフロードすべき無線ベアラの識別子を、前記ＵＥに通知するためのものである。基地局は、当該ＵＥからフィードバックされたオフロード確認メッセージを受信し、当該オフロード確認メッセージは、当該ＵＥが指定したＷＬＡＮネットワークへのオフロード動作を受け取ることを確認するものである。
【００７８】
例えば、基地局が当該ＵＥが指定したＷＬＡＮネットワークに接続した確定する前、現ネットワークの負荷が過大であると判断すれば、ｅＮＢはオフロードすることを決め、下記のプロセスによりオフロード動作をトリガーし、詳しくは図８に示されている。ｅＮＢは、オフロードを決めた後、ＵＥが指定したＷＬＡＮネットワークに接続することを受け取るかを判断し、受け取ると判断すれば、ｅＮＢは、下記のプロセスをトリガーする。
【００７９】
Ｓｔｅｐ１：ｅＮＢは、オフロードを決め、ＵＥにオフロード通知メッセージを送信し、当該オフロード通知メッセージパラメータは、オフロードすべきの無線ベアラ的識別子及び指定したＷＬＡＮネットワークの識別子であり、ここの無線ベアラの識別子は複数であってもよい。
【００８０】
Ｓｔｅｐ２：ＵＥは、ｅＮＢにオフロード確認メッセージを送信し、ｅＮＢは、オフロード確認メッセージを受信した後、ｅＮＢは、パス転移プロセスをトリガーする。
【００８１】
詳しくは、ＵＥは、ｅＮＢからオフロード通知メッセージを受信した後、現ＵＥがオフロード動作を受け取れば、さらに自分が指定したＷＬＡＮネットワークに接続できたかを判断し、接続できたと判断すれば、ｅＮＢにオフロード確認メッセージを送信し、接続していないと判断すれば、指定したＷＬＡＮネットワークに接続しようとのリクエストをトリガーした後、ｅＮＢにオフロード確認メッセージを送信する。
【００８２】
詳しくは、基地局がＷＬＡＮネットワークにリクエストメッセージを送信することは、以下のような２つの場合がある。
【００８３】
場合１：基地局とＷＬＡＮネットワークの間で層２フレーム方式により通信すれば、前記基地局は前記ＷＬＡＮネットワークにパス確立リクエストメッセージを送信し、前記パス確立リクエストメッセージは、前記ＷＬＡＮネットワークをリクエストして、前記パス確立リクエストメッセージに対して関連のパスアドレスパラメーを割り当てるためのものであり、前記パス確立リクエストメッセージにはＵＥの第１ＭＡＣアドレスが含まれる。
【００８４】
場合２：基地局とＷＬＡＮネットワークの間でＧＰＲＳトンネルプロトコル（ＧＰＲＳ Ｔｕｎｎｅｌｉｎｇ Ｐｒｏｔｏｃｏｌ，ＧＴＰ）トンネル方式により通信すれば、前記基地局は、前記ＷＬＡＮネットワークにベアラ創立リクエストメッセージを送信し、前記ベアラ創立リクエストメッセージは、前記ＷＬＡＮネットワークをリクエストして前記ベアラ創立リクエストメッセージに対して関連のパスアドレスパラメータを送信するためのものであり、前記ベアラ創立リクエストメッセージにはＵＥの第１ＭＡＣアドレス及び前記基地局からユーザープレーンのために割り当てた第２ユーザープレーントンネルエンドポイント識別子（Ｔｕｎｎｅｌ Ｅｎｄ Ｐｏｉｎｔ Ｉｄｅｎｔｉｆｉｅｒ，ＴＥＩＤ）が含まれる。
【００８５】
ステップ７０１：基地局は、ＷＬＡＮネットワークからフィードバックさらた前記リクエストメッセージへの応答メッセージを受信し、前記応答メッセージには、少なくとも前記ＷＬＡＮネットワークから前記リクエストメッセージに対して割り当てたパス識別子が含まれる。
【００８６】
ここで、前記パス識別子は、前記ＷＬＡＮネットワークから前記リクエストメッセージに対して割り当てた第２ＭＡＣアドレスであってもよく、前記ＷＬＡＮネットワークから前記リクエストメッセージに対して割り当てた第１ユーザープレーンＴＥＩＤであってもよい。
【００８７】
詳しくは、基地局が、前記ＷＬＡＮネットワークからフィードバックされた前記リクエストメッセージへの応答メッセージを受信し、前記応答メッセージには、少なくとも前記ＷＬＡＮネットワークから前記リクエストメッセージに対して割り当てたパス識別子が含まれることは、以下の２つの場合がある。
【００８８】
場合１：基地局とＷＬＡＮネットワークの間で層２フレーム方式により通信すれば、前記基地局は、前記ＷＬＡＮネットワークからフィードバックされた前記パス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれる。
【００８９】
場合２：基地局とＷＬＡＮネットワークの間でＧＴＰトンネル方式により通信すれば、前記基地局は、前記ＷＬＡＮネットワークからフィードバックされた前記ベアラ創立リクエストメッセージへのベアラ創立応答メッセージを受信し、前記ベアラ創立応答メッセージには、前記ＷＬＡＮネットワークから前記ベアラ創立リクエストメッセージに対して割り当てた第１ベアラ識別子及び第１ユーザープレーンＴＥＩＤが含まれる。
【００９０】
ステップ７０２：基地局は、ＵＥにパス変更メッセージを送信し、前記ＵＥに、基地局からＷＬＡＮ ネットワークへオフロードするためのパス確立成功さを通知する。
【００９１】
さらに、基地局がＵＥにパス変更確認メッセージ之を送信した後、基地局は、パス識別子に基づき、ＷＬＡＮネットワークを介して、ＵＥと第１部分データを交換し、前記第１部分データは、基地局がＷＬＡＮネットワークを介してＵＥと交換しようとするデータである。
【００９２】
詳しくは、基地局が、パス識別子に基づき、ＷＬＡＮネットワークを介してＵＥと第１部分データを交換することは、下記の２つの場合がある。
【００９３】
場合１：基地局とＷＬＡＮネットワークの間で層２フレーム方式により通信すれば、前記基地局は、前記パス確立リクエストメッセージ及び前記パス確立応答メッセージに基づき、前記基地局と前記ＷＬＡＮネットワークの間に少なくとも１つのオフロードパスを確立する。
【００９４】
前記基地局は、前記ＷＬＡＮネットワークからフォワードされたアップリンクデータパケットを受信し、前記アップリンクデータパケットを改めてカプセル化して第１アップリンクデータパケットとし、Ｓ１ベアラにて送信し、ならびに、前記少なくとも１つのオフロードパスに対応するＳ１ベアラからダウンリンクデータを受信した後、前記ダウンリンクデータをカプセル化してＭＡＣフレームのダウンリンクデータパケットとし、前記ダウンリンクデータパケットを前記ＷＬＡＮネットワークへフォワードし、前記ＷＬＡＮネットワークを介して前記ダウンリンクデータパケットを改めてカプセル化して第１ダウンリンクデータパケットとし、前記第１ダウンリンクデータパケットを前記ＵＥに送信し、第１部分データの交換を完成する。ここで、前記アップリンクデータパケットが前記ＵＥと前記ＷＬＡＮネットワークのあぃだで伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記アップリンクデータパケットが前記ＷＬＡＮネットワークと前記基地局の間で伝送される場合、前記アップリンクデータパケットのソースＭＡＣアドレスを第２ＭＡＣアドレスとしてカプセル化し、ターゲットＭＡＣアドレスを前記基地局のＭＡＣアドレスとしてカプセル化し、前記ダウンリンクデータパケットのソースＭＡＣアドレスを前記基地局のＭＡＣアドレスとしてカプセル化し、ターゲットＭＡＣアドレスを第２ＭＡＣアドレスとしてカプセル化し、前記第１ダウンリンクデータパケットのソースＭＡＣアドレスを第２ＭＡＣアドレスとしてカプセル化し、ターゲットＭＡＣアドレスを第１ＭＡＣアドレスとしてカプセル化する。
【００９５】
場合２：基地局とＷＬＡＮネットワークの間でＧＴＰトンネル方式により通信すれば、前記基地局は、前記ベアラ創立リクエストメッセージ及び前記ベアラ創立応答メッセージに基づき、前記基地局と前記ＷＬＡＮネットワークの間に１つの新設ベアラを確立する。
【００９６】
前記基地局は、前記新設ベアラにより前記ＷＬＡＮネットワークからフォワードされたアップリンクデータパケットを受信し、前記新設ベアラから前記アップリンクデータパケットを受信した後、前記アップリンクデータパケッを前記新設ベアラに対応するＳ１ベアラにトフォワードして送信し、並びに、前記少なくとも１つの無線ベアラの識別子に対応するＳ１ベアラからダウンリンクデータを受信した後、前記ダウンリンクデータをＳ１ベアラに対応する新設ベアラにフォワードし、前記ＷＬＡＮネットワークを介して前記ダウンリンクデータをカプセル化してＭＡＣフレームの第２ダウンリンクデータパケットとして前記ＵＥに送信し、第２部分データの交換を完成し、ここで、前記アップリンクデータパケットが前記ＵＥと前記ＷＬＡＮネットワークのあぃだで伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記第２ダウンリンクデータパケットのソースＭＡＣアドレスを前記ＷＬＡＮネットワークのＭＡＣアドレスとしてカプセル化し、ターゲットＭＡＣアドレスを第１ＭＡＣアドレスとしてカプセル化する。
【００９７】
前記の実施例１のデータ・オフロードのためのパスを確立する方法をベースとして、実施例２及び実施例３それぞれは、基地局及びＷＬＡＮネットワークが異なるプロトコルに従う場合、基地局の一部データをＷＬＡＮにオフロードしてＵＥと交換するのかを提供する。
【００９８】
実施例２
実施例２において、ｅＮＢとＷＬＡＮネットワークの間でＧＴＰプロトコルを採用する。具体的に、ｅＮＢとＷＬＡＮネットワークの間でパスを確立・転移するプロセスは、図９に示すように、以下詳しく説明する。
【００９９】
Ｓｔｅｐ１：ｅＮＢは、指定したＷＬＡＮネットワークにベアラ創立リクエストメッセージを送信し、前記ベアラ創立リクエストメッセージにおけるパラメータは、ＭＡＣアドレス１（即ちＵＥの初期ＭＡＣアドレス）及びｅＮＢからユーザープレーンのために割り当てたＴＥＩＤを含む。
【０１００】
Ｓｔｅｐ２：ＷＬＡＮネットワークは、ベアラ識別子及びユーザープレーンＴＥＩＤを割り当て、そして、ｅＮＢへベアラ創立応答メッセージをフィードバックし、前記ベアラ創立応答メッセージにおけるパラメータは、ＷＬＡＮネットワークにより割り当てられたベアラ識別子及びユーザープレーンＴＥＩＤを含む。
【０１０１】
Ｓｔｅｐ３：ｅＮＢは、ＵＥにパス変更確認メッセージを送信し、前記ＵＥに、前記ｅＮＢから前記ＷＬＡＮ ネットワークへのオフロードするためのパス確立成功したことを通知する。
【０１０２】
前記プロセスを実行した後、ｅＮＢとＷＬＡＮネットワークの間でＧＴＰトンネルが確立された。
【０１０３】
前記ステップに基づき、以下，パス変更後のＵＬ/ＤＬデータのルーティング方式を説明する。
【０１０４】
普段、ｅＮＢに格納されているベアラ間のマッピング関係は<Ｓ１ベアラ，無線ベアラ>であい、ここで、Ｓ１ベアラフィールド及び無線ベアラフィールドには、対応のベアラを識別できる情報が含まれ、例えば、Ｓ１ベアラフィールドは、ｅＮＢから前記ベアラのために割り当てたＳ１-ＴＥＩＤ及びＳＧＷのために割り当てたＳ１-ＴＥＩＤを含む。無線ベアラフィールドに格納されたのは無線ベアラの識別子である。この場合のデータルーティング方式は、以下のようである。
アップリンク：ｅＮＢは、無線ベアラからデータを受信した後、無線ベアラに対応するＳ１ベアラにフォワードする。
ダウンリンク：ｅＮＢは、Ｓ１ベアラからデータを受信した後、Ｓ１ベアラに対応する無線ベアラにフォワードする。
【０１０５】
実施例２を実施した後、ｅＮＢ及びＷＬＡＮネットワークに格納されている情報は、以下のようである。
１）ｅＮＢに格納されているベアラ間のマッピング関係は、<Ｓ１ベアラ，新設ベアラ>であり、ここで、新設ベアラは、前記Ｓｔｅｐ１及びＳｔｅｐ２によりｅＮＢとＷＬＡＮネットワークの間で確立したベアラであり、新設ベアラフィールドの情報は、NＢからユーザープレーンのために割り当てたＴＥＩＤ及びＷＬＡＮのために割り当てたユーザープレーンＴＥＩＤを含む。
２）ＷＬＡＮネットワークに格納されている情報は、<新設ベアラ，ＭＡＣアドレス１>の間のマッピング関係である。
【０１０６】
この場合のデータルーティング方式はいかとおりである。
ｅＮＢのＵＬ/ＤＬデータルーティングの場合
アップリンク：新設ベアラからデータを受信した後、新設ベアラに対応するＳ１ベアラにフォワードする。
ダウンリンク：Ｓ1ベアラからデータを受信した後、Ｓ１ベアラに対応する新設ベアラにフォワードする。
【０１０７】
ＷＬＡＮネットワークのＵＬ/ＤＬデータルーティングは以下とおりである。
アップリンク：ソースＭＡＣ アドレスがＭＡＣアドレス1であるデータパケットを受信した場合、ＭＡＣアドレス１に対応する新設ベアラにフォワードする。
ダウンリンク：新設ベアラからデータを受信した後、内部のIPパケットをカプセル化してＭＡＣフレームとし、ソースＭＡＣアドレスはＷＬＡＮネットワークの初期ＭＡＣアドレスであり、ターゲットとアドレスは新設ベアラに対応するＭＡＣアドレスであり、即ちＭＡＣアドレス１である。
【０１０８】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【０１０９】
実施例３
実施例３において、ｅＮＢとＷＬＡＮネットワークの間で層フォワード方式によりデータを伝送する。具体的に、ｅＮＢとＷＬＡＮネットワークの間でパス確立・転移のプロセスは、図１０に示すように、以下詳細に説明する。
【０１１０】
Ｓｔｅｐ１：ｅＮＢは、指定したＷＬＡＮネットワークにパス確立リクエストメッセージを送信し、前記パス確立リクエストメッセージにおけるパラメータは、ＭＡＣアドレス１、即ちＵＥの初期ＭＡＣアドレスを含む。
【０１１１】
Ｓｔｅｐ２：ＷＬＡＮネットワークは、データ我伝送する前記ベアラのために１つのＭＡＣアドレス、すなわちＭＡＣアドレス２を割り当て、前記ＭＡＣアドレスは、ＷＬＡＮネットワークにおけるＧＷのＭＡＣアドレスあってもよく、そして、ｅＮＢにパス確立応答メッセージをフィードバックし、前記パス確立応答メッセージにおけるパラメータはＭＡＣアドレス２を含む。
【０１１２】
Ｓｔｅｐ３：ｅＮＢは、ＵＥにパス変更確認メッセージを送信し、前記ＵＥに、前記ｅＮＢから前記ＷＬＡＮネットワークへのオフロードのためのパス確立が成功したことを通知する。
【０１１３】
前記ステップに基づき、以下、パス変更後のＵＬ/ＤＬデータのルーティング方式を説明する。
【０１１４】
普段、ｅＮＢに格納されているベアラ間のマッピング関係は<Ｓ１ベアラ，無線ベアラ>であり、Ｓ１ベアラフィールド及び無線ベアラフィールドには、対応のベアラを識別できる情報が含まれ、例えば、Ｓ１ベアラフィールドは、ｅＮＢから前記ベアラのために割り当てたＳ１-ＴＥＩＤ及びＳＧＷのために割り当てたＳ１-ＴＥＩＤを含む。無線ベアラフィールドに格納されたのは無線ベアラの識別子である。この場合のデータルーティング方式はいかとおりである。
アップリンク：ｅＮＢは、無線ベアラからデータを受信した後、無線ベアラに対応するＳ１ベアラにフォワードする。
ダウンリンク：ｅＮＢは、Ｓ１ベアラからデータを受信した後、Ｓ１ベアラに対応する無線ベアラにフォワードする。
【０１１５】
実施例３を実行した後、ｅＮＢ及びＷＬＡＮネットワークに格納されている情報はそれぞれ以下のようになっている。
１）ｅＮＢに格納されているベアラ間のマッピング関係は<Ｓ１ベアラ，ＷＬＡＮの情報>であり、ＷＬＡＮの情報は、ＷＬＡＮネットワークにおけるＧＷのＭＡＣアドレス（即ちＭＡＣアドレス２）またはＷＬＡＮネットワークのサービス集合識別子（Ｓｅｒｖｉｃｅ Ｓｅｔ Ｉｄｅｎｔｉｆｉｅｒの略記、ＳＳＩＤ）であってもよい。
２）ＷＬＡＮネットワークは、ＵＥのコンテンツにおいてＭＡＣアドレス２を格納する。また、ＵＥの初期ＭＡＣアドレス、即ちＭＡＣアドレス１も格納される可能性がある。
【０１１６】
この場合のデータルーティング方式はいかとおりである。
ｅＮＢのＵＬ/ＤＬデータルーティングを以下に説明する。
アップリンク：ｅＮＢは、ソースＭＡＣアドレスがＭＡＣアドレス２であるＭＡＣフレームを受信し、ｅＮＢは、Ｓ１ベアラによりIPパケットを送信する。
ダウンリンク：Ｓ１ベアラからデータを受信した後、ＵＥのデータをカプセル化してＭＡＣフレームとし、ソースＭＡＣアドレスは、ｅＮＢのＭＡＣアドレスであり、ターゲットＭＡＣアドレスは、ＭＡＣアドレス２である。
【０１１７】
ＷＬＡＮネットワークのＵＬ/ＤＬデータルーティングはいかとおりである。
アップリンク：ソースＭＡＣアドレスがＭＡＣアドレス１であり、ターゲットＭＡＣアドレスがＷＬＡＮネットワークの初期ＭＡＣ アドレスであるデータパケットを受信した場合、IPパケットを改めてカプセル化し、ソースＭＡＣアドレスはＭＡＣアドレス２であり、ターゲットＭＡＣアドレスはｅＮＢのＭＡＣアドレスである。
ダウンリンク：ソースＭＡＣアドレスがｅＮＢのＭＡＣアドレスであり、ターゲットとアドレスがＭＡＣアドレス２であるＭＡＣフレームを受信した場合、IPパケットを改めてカプセル化し、ソースＭＡＣアドレスはＭＡＣアドレス２であり、ターゲットＭＡＣアドレスは、ＵＥのＭＡＣアドレス即ちＭＡＣアドレス１である。
【０１１８】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【０１１９】
ＭｅＮＢからＳｅＮＢへのオフロードする方法をベースとし、図１１に示すように、本発明の実施例４はデータ・オフロードのためのパスを確立する方法を提供し、ＷＬＡＮに適用されており、実際の場合ＷＬＡＮの管理機器により実施してもよく、そのフローチャートはいかとおりである。
ステップ１１０：ＷＬＡＮネットワークは、基地局からリクエストメッセージを受信し、前記リクエストメッセージには少なくともＵＥの第１ＭＡＣアドレスが含まれる。
ステップ１１１：ＷＬＡＮネットワークは、前記リクエストメッセージに対してパス識別子を割り当て、基地局に応答メッセージを送信し、関連のパス確立情報を前記基地局に通知する。前記応答メッセージには前記ＷＬＡＮネットワークにより割り当てられたパス識別子が含まれる。
【０１２０】
ここで、パス識別子は、ＷＬＡＮネットワークにより前記リクエストメッセージに対して割り当てた第２ＭＡＣアドレスまたはＷＬＡＮネットワークにより前記リクエストメッセージに対して割り当てた第１ＴＥＩＤである。
【０１２１】
具体的に、ＷＬＡＮネットワークが、前記リクエストメッセージに対してパス識別子を割り当てることは、下記２場合がある。
場合１：前記ＷＬＡＮネットワークにおけるゲートウェイは、前記リクエストメッセージに対してパス識別子を割り当てる。
場合２：前記ＷＬＡＮネットワークにおけるアクセスポイント（ＡＰ）は、前記リクエストメッセージに対してパス識別子を割り当てる。
【０１２２】
ここで、第２ＭＡＣアドレスは、ＷＬＡＮネットワークと基地局の間に位置するオフロードすべきの第１部分データ伝送パスを識別するためのものである。
【０１２３】
具体的に、ＷＬＡＮネットワークは、基地局からリクエストメッセージを受信し、前記リクエストメッセージには少なくともＵＥの第１ＭＡＣアドレスが含まれる。これは以下の２場合を含む。
場合１：前記ＷＬＡＮネットワークと前記基地局の間で層２フレーム方式により通信すれば、前記ＷＬＡＮネットワークは、前記基地局からパス確立リクエストメッセージを受信し、前記パス確立リクエストメッセージは、前記パス確立リクエストメッセージに対して関連のパスアドレスパラメーを割り当てるように、前記ＷＬＡＮネットワークにリクエストする。前記パス確立リクエストメッセージにはＵＥの第１ＭＡＣアドレスが含まれる。
場合２：前記ＷＬＡＮネットワークと前記基地局の間でＧＴＰトンネル方式により通信すれば、前記ＷＬＡＮネットワークは、前記基地局からベアラ創立リクエストメッセージを受信し、前記ベアラ創立リクエストメッセージは、前記ベアラ創立リクエストメッセージに対して関連のパスアドレスパラメータを送信するように、前記ＷＬＡＮネットワークをリクエストするめのものである。前記ベアラ創立リクエストメッセージにはＵＥの第１ＭＡＣアドレス及び前記基地局からユーザープレーンのために割り当てた第２ユーザープレーントンネルエンドポイント識別子（ＴＥＩＤ）が含まれる。
【０１２４】
具体的に、ＷＬＡＮネットワークは、前記リクエストメッセージに対してパス識別子を割り当て、前記基地局に応答メッセージを送信し、関連のパス確立情報を前記基地局に通知する。これは以下の２つの場合がある。
場合１：前記ＷＬＡＮネットワークと前記基地局の間で層２フレーム方式により通信すれば、前記ＷＬＡＮネットワークは、前記パス確立リクエストメッセージに対してパス識別子を割り当て、前記基地局にパス確立応答メッセージを送信し、関連のパス確立情報を前記基地局に通知する。前記パス確立応答メッセージには、前記ＷＬＡＮネットワークから前記パス確立リクエストメッセージに対して割り当てた第２ＭＡＣアドレスが含まれる。
場合２：前記ＷＬＡＮネットワークと前記基地局の間でＧＴＰトンネル方式により通信すれば、前記ＷＬＡＮネットワークは、前記ベアラ創立リクエストメッセージに対してパス識別子を割り当て、前記基地局にベアラ創立応答メッセージを送信し、関連のパス確立情報を前記基地局に通知する。前記ベアラ創立応答メッセージには、少なくとも前記ＷＬＡＮネットワークから前記ベアラ創立リクエストメッセージに対して割り当てた第１ベアラ識別子、第１ユーザープレーンＴＥＩＤが含まれる。
【０１２５】
前記実施例をベースとして、図１２に示すように、本発明に係る実施例５は、データ・オフロードのためのパス確立装置を提供し、基地局側に適用され、当該装置は、送信ユニット１２０と、受信ユニット１２１と、確認ユニット１２２とを備える。
【０１２６】
前記送信ユニット１２０は、１つのＵＥが指定したＷＬＡＮネットワークに接続したと確定した後、前記ＷＬＡＮネットワークにリクエストメッセージを送信し、前記リクエストメッセージには少なくともＵＥの第１ＭＡＣアドレスが含まれる。
【０１２７】
前記受信ユニット１２１は、前記ＷＬＡＮネットワークからフィードバックされた前記リクエストメッセージへの応答メッセージを受信し、前記応答メッセージには少なくとも前記ＷＬＡＮネットワークから前記リクエストメッセージに対して割り当てたパス識別子が含まれる。
【０１２８】
前記確認ユニット１２２は、前記ＵＥにパス変更確認メッセージを送信し、前記基地局から前記ＷＬＡＮネットワークにオフロードするためのパス確立が成功したことを前記ＵＥに通知する。
【０１２９】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【０１３０】
オプションとして、前記受信ユニット１２１が受信した前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）である。
【０１３１】
オプションとして、前記ＵＥが指定したＷＬＡＮネットワークに接続したと確定する前、前記送信ユニット１２０は、現ネットワークの接続負荷がプリセットした閾値より大きいと確定する場合、前記ＵＥにオフロード通知メッセージを送信し、前記オフロード通知メッセージは、指定したＷＬＡＮネットワークの識別子及び前記ＷＬＡＮネットワークにオフロードすべきの無線ベアラの識別子を前記ＵＥに通知することに用いられる。
【０１３２】
前記受信ユニット１２１は、前記ＵＥからフィードバックされたオフロード確認メッセージを受信し、前記オフロード確認メッセージは、前記ＵＥが指定したＷＬＡＮネットワークへのオフロード動作を認めることを確定するためのものである。
【０１３３】
オプションとして、前記受信ユニット１２１は、前処理段階において、前記ＵＥからＲＲＣ（ＲＲＣ）メッセージを受信し、前記ＲＲＣメッセージには前記ＵＥの第１ＭＡＣアドレスが含まれる。
【０１３４】
前記受信ユニット１２１は、前記ＵＥの第１ＭＡＣアドレスを格納する。
【０１３５】
オプションとして、前記ＷＬＡＮネットワークにリクエストメッセージを送信する場合、前記送信ユニット１２０は、
基地局と前記ＷＬＡＮネットワークの間で層２フレーム方式により通信すれば、前記ＷＬＡＮネットワークにパス確立リクエストメッセージを送信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれる。
【０１３６】
前記基地局と前記ＷＬＡＮネットワークの間でＧＴＰトンネル方式で通信すれば、前記ＷＬＡＮネットワークにベアラ創立リクエストメッセージを送信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【０１３７】
オプションとして、前記ＷＬＡＮネットワークからフィードバックされた前記リクエストメッセージへの応答メッセージを受信する場合、前記受信ユニット１２１は、
基地局と前記ＷＬＡＮネットワークの間で層２フレーム方式により通信すれば、前記ＷＬＡＮネットワークからフィードバックされた前記パス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれるか、または、
基地局と前記ＷＬＡＮネットワークの間でＧＴＰトンネル方式により通信すれば、前記ＷＬＡＮネットワークからフィードバックされた前記ベアラ創立リクエストメッセージへのベアラ創立応答メッセージを受信し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【０１３８】
オプションとして、前記ＵＥにパス変更確認メッセージを送信した後、前記パス識別子に基づき、前記ＷＬＡＮネットワークにより前記ＵＥと第１部分データを交換する、通信ユニット１２３をさらに備える。前記第１部分データは、基地局が前記ＷＬＡＮネットワークを介して前記ＵＥと交換するデータである。
【０１３９】
オプションとして、前記パス識別子に基づき、前記ＷＬＡＮネットワーは、基地局と前記ＷＬＡＮネットワークの間で層２フレーム方式により通信すれば、前記パス確立リクエストメッセージ及び前記パス確立応答メッセージに基づき、前記基地局と前記ＷＬＡＮネットワークの間に少なくとも１つのオフロードパスを確立する。
【０１４０】
前記基地局は、前記ＷＬＡＮネットワークからフォワードされたアップリンクデータパケットを受信し、前記アップリンクデータパケットを改めてカプセル化して第１アップリンクデータパケットとし、Ｓ１ベアラにて送信し、また、前記少なくとも１つのオフロードパスに対応するＳ１ベアラからダウンリンクデータを受信した後、前記ダウンリンクデータをカプセル化してＭＡＣフレームのダウンリンクデータパケットとした後、前記ダウンリンクデータパケットを前記ＷＬＡＮネットワークにフォワードし、前記ＷＬＡＮネットワークにより前記ダウンリンクデータパケットを新たなカプセル化して第１ダウンリンクデータパケットとし、前記第１ダウンリンクデータパケットを前記ＵＥに送信し、第１部分データの交換を完成する。ここで、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記アップリンクデータパケットが前記ＷＬＡＮネットワークと前記基地局の間で伝送される場合、前記アップリンクデータパケットのソースＭＡＣアドレスを第２ＭＡＣアドレスとしてカプセル化し、ターゲットＭＡＣアドレスを前記基地局のＭＡＣアドレスとしてカプセル化し、前記ダウンリンクデータパケットのソースＭＡＣアドレスを前記基地局のＭＡＣアドレスとしてカプセル化し、ターゲットＭＡＣアドレスを第２ＭＡＣアドレスとしてカプセル化し、前記第１ダウンリンクデータパケットのソースＭＡＣアドレスを第２ＭＡＣアドレスとしてカプセル化し、ターゲットＭＡＣアドレスを第１ＭＡＣアドレスとしてカプセル化する。
【０１４１】
オプションとして、前記パス識別子に基づき、前記ＷＬＡＮネットワークにより前記ＵＥと第１部分データを交換する場合、前記通信ユニット１２３は、基地局と前記ＷＬＡＮネットワークの間でＧＴＰトンネル方式により通信すれば、前記基地局は、前記ベアラ創立リクエストメッセージ及び前記ベアラ創立応答メッセージに基づき、前記基地局と前記ＷＬＡＮネットワークの間に１つの新設ベアラを創立する。
【０１４２】
前記基地局は、前記新設ベアラを用いて、前記ＷＬＡＮネットワークからフォワードされたアップリンクデータパケットを受信し、前記新設ベアラから前記アップリンクデータパケットを受信した後、前記アップリンクデータパケットを前記新設ベアラに対応するＳ１ベアラにフォワードして送信し、ならびに、前記少なくとも１つの無線ベアラの識別子に対応するＳ１ベアラからダウンリンクデータを受信した後、前記ダウンリンクデータをＳ１ベアラに対応する新設ベアラにフォワードし、前記ＷＬＡＮネットワークにより前記ダウンリンクデータをＭＡＣフレームの第２ダウンリンクデータパケットとしてカプセル化して前記ＵＥに送信し、第２部分データの交換を完成し、其中，前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記第２ダウンリンクデータパケットのソースＭＡＣアドレスを前記ＷＬＡＮネットワークのＭＡＣアドレスとしてカプセル化し、ターゲットＭＡＣアドレスを第１ＭＡＣアドレスとしてカプセル化する。
【０１４３】
前記実施例をベースとし、図１３に示すように、本発明に係る実施例６が提供するデータ・オフロードのためのパス確立装置は、ＷＬＡＮに適用されており、受信ユニット１３０と、送信ユニット１３１とを備える。
【０１４４】
受信ユニット１３０は、基地局からリクエストメッセージを受信し、前記リクエストメッセージには少なくともＵＥの第１ＭＡＣアドレスが含まれる。
【０１４５】
送信ユニット１３１は、前記リクエストメッセージに対してパス識別子を割り当て、前記基地局に応答メッセージを送信し、関連のパス確立情報を前記基地局に通知し、前記応答メッセージには前記ＷＬＡＮネットワークが割り当てたパス識別子が含まれる。
【０１４６】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【０１４７】
オプションとして、前記送信ユニット１３１により割り当てた前記パス識別子は、前記リクエストメッセージに対して割り当てた第２ＭＡＣアドレスであるか、または、前記リクエストメッセージに対して割り当てた第１ユーザープレーントンネルエンドポイント識別子（ＴＥＩＤ）である。
【０１４８】
オプションとして、前記基地局からリクエストメッセージを受信する場合、前記受信ユニット１３０は、前記装置と前記基地局の間で層２フレーム方式により通信すれば、前記基地局からパス確立リクエストメッセージを受信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれる。
【０１４９】
前記装置と前記基地局の間でＧＴＰトンネル方式により通信すれば、前記基地局からベアラ創立リクエストメッセージを受信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【０１５０】
オプションとして、前記リクエストメッセージに対してパス識別子を割り当て、前記基地局に応答メッセージを送信し、関連のパス確立情報を前記基地局に通知する場合、前記送信ユニット１３１は、
前記装置と前記基地局の間で層２フレーム方式により通信すれば、前記パス確立リクエストメッセージに対してパス識別子を割り当て、前記基地局にパス確立応答メッセージを送信し、関連のパス確立情報を前記基地局に通知し、前記パス確立応答メッセージには、前記ＷＬＡＮネットワークから前記パス確立リクエストメッセージに対して割り当てた第２ＭＡＣアドレスが含まれるか、または、
前記装置と前記基地局の間でＧＴＰトンネル方式により通信すれば、前記ベアラ創立リクエストメッセージに対してパス識別子を割り当て、前記基地局にベアラ創立応答メッセージを送信し、関連のパス確立情報を前記基地局に通知し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【０１５１】
前記実施例をベースとし、図１４に示すように、本発明に係る実施例７が提供するネットワーク側機器は、プロセッサ１４００を備える。
【０１５２】
前記プロセッサ１４００は、メモリ１４２０に格納さらたプログラムを読み出し、１つのＵＥが指定したＷＬＡＮネットワークに接続したと確定した後、送受信機により１４１０前記ＷＬＡＮネットワークにリクエストメッセージを送信し、送受信機により１４１０前記ＷＬＡＮネットワークからフィードバックされた前記リクエストメッセージへの応答メッセージを受信し、送受信機により１４１０前記ＵＥにパス変更確認メッセージを送信し、前記基地局から前記ＷＬＡＮ ネットワークにオフロードするためのパス確立が成功したことを前記ＵＥに通知する。前記リクエストメッセージには少なくともＵＥの第１ＭＡＣアドレスが含まれ、前記応答メッセージには少なくとも前記ＷＬＡＮネットワークから前記リクエストメッセージに対して割り当てたパス識別子が含まれる。
【０１５３】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【０１５４】
オプションとして、送受信機１４１０により受信した前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）である。
【０１５５】
オプションとして、前記ＵＥが指定したＷＬＡＮネットワークに接続したと確定する前、前記プロセッサ１４００は、
現ネットワークの接続負荷がプリセットした閾値より大きいと確定する場合、送受信機１４１０により前記ＵＥにオフロード通知メッセージを送信し、前記オフロード通知メッセージは、指定したＷＬＡＮネットワークの識別子及び前記ＷＬＡＮネットワークにオフロードすべきの無線ベアラの識別子を前記ＵＥに通知することに用いられる。
【０１５６】
オプションとして、プロセッサ１４００は、送受信機により１４１０前記ＵＥからフィードバ ックされたオフロード確認メッセージを受信し、前記オフロード確認メッセージは、前記ＵＥが指定したＷＬＡＮネットワークへのオフロード動作を認めることを確定するためのものである。
【０１５７】
オプションとして、プロセッサ１４００は、前処理段階において、送受信機により１４１０前記ＵＥからＲＲＣ（ＲＲＣ）メッセージを受信し、前記ＵＥの第１ＭＡＣアドレスを格納する。前記ＲＲＣメッセージには前記ＵＥの第１ＭＡＣアドレスが含まれる。
【０１５８】
オプションとして、送受信機１４１０により前記ＷＬＡＮネットワークにリクエストメッセージを送信する場合、プロセッサ１４００は、
基地局と前記ＷＬＡＮネットワークの間で層２フレーム方式により通信すれば、送受信機１４１０により前記ＷＬＡＮネットワークにパス確立リクエストメッセージを送信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれる。
【０１５９】
前記基地局と前記ＷＬＡＮネットワークの間でＧＴＰトンネル方式で通信すれば、送受信機１４１０により前記ＷＬＡＮネットワークにベアラ創立リクエストメッセージを送信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【０１６０】
オプションとして、送受信機１４１０により前記ＷＬＡＮネットワークからフィードバックされた前記リクエストメッセージへの応答メッセージを受信する場合、プロセッサ１４００は、
基地局と前記ＷＬＡＮネットワークの間で層２フレーム方式により通信すれば、送受信機１４１０により前記ＷＬＡＮネットワークからフィードバックされた前記パス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれるか、または、
基地局と前記ＷＬＡＮネットワークの間でＧＴＰトンネル方式により通信すれば、送受信機１４１０により前記ＷＬＡＮネットワークからフィードバックされた前記ベアラ創立リクエストメッセージへのベアラ創立応答メッセージを受信し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【０１６１】
オプションとして、プロセッサ１４００は、送受信機１４１０により前記ＵＥにパス変更確認メッセージを送信した後、前記パス識別子に基づき、前記ＷＬＡＮネットワークにより前記ＵＥと第１部分データを交換し、前記第１部分データは、基地局が前記ＷＬＡＮネットワークを介して前記ＵＥと交換するデータである。
【０１６２】
オプションとして、前記パス識別子に基づき、前記ＷＬＡＮネットワークにより前記ＵＥと第１部分データを交換する場合、プロセッサ１４００は、
基地局と前記ＷＬＡＮネットワークの間で層２フレーム方式により通信すれば、前記パス確立リクエストメッセージ及び前記パス確立応答メッセージに基づき、前記基地局と前記ＷＬＡＮネットワークの間に少なくとも１つのオフロードパスを確立し、
前記ＷＬＡＮネットワークからフォワードされたアップリンクデータパケットを受信し、前記アップリンクデータパケットを改めてカプセル化して第１アップリンクデータパケットとし、Ｓ１ベアラにて送信し、また、前記少なくとも１つのオフロードパスに対応するＳ１ベアラからダウンリンクデータを受信した後、前記ダウンリンクデータをカプセル化してＭＡＣフレームのダウンリンクデータパケットとした後、前記ダウンリンクデータパケットを前記ＷＬＡＮネットワークにフォワードし、前記ＷＬＡＮネットワークにより前記ダウンリンクデータパケットを新たなカプセル化して第１ダウンリンクデータパケットとし、前記第１ダウンリンクデータパケットを前記ＵＥに送信し、第１部分データの交換を完成し、ここで、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記アップリンクデータパケットが前記ＷＬＡＮネットワークと前記基地局の間で伝送される場合、前記アップリンクデータパケットのソースＭＡＣアドレスを第２ＭＡＣアドレスとしてカプセル化し、ターゲットＭＡＣアドレスを前記基地局のＭＡＣアドレスとしてカプセル化し、前記ダウンリンクデータパケットのソースＭＡＣアドレスを前記基地局のＭＡＣアドレスとしてカプセル化し、ターゲットＭＡＣアドレスを第２ＭＡＣアドレスとしてカプセル化し、前記第１ダウンリンクデータパケットのソースＭＡＣアドレスを第２ＭＡＣアドレスとしてカプセル化し、ターゲットＭＡＣアドレスを第１ＭＡＣアドレスとしてカプセル化する。
【０１６３】
オプションとして、前記第１ＭＡＣアドレス及び前記パス識別子に基づき、前記ＷＬＡＮネットワークにより前記ＵＥと第１部分データを交換する場合、プロセッサ１４００は、
基地局と前記ＷＬＡＮネットワークの間でＧＴＰトンネル方式により通信すれば、前記ベアラ創立リクエストメッセージ及び前記ベアラ創立応答メッセージに基づき、前記基地局と前記ＷＬＡＮネットワークの間に１つの新設ベアラを確立し、
前記新設ベアラを用いて前記ＷＬＡＮネットワークからフォワードされたアップリンクデータパケットを受信し、前記新設ベアラから前記アップリンクデータパケットを受信した後、前記アップリンクデータパケットを前記新設ベアラに対応するＳ１ベアラにフォワードして送信し、ならびに、前記少なくとも１つの無線ベアラの識別子に対応するＳ１ベアラからダウンリンクデータを受信した後、前記ダウンリンクデータをＳ１ベアラに対応する新設ベアラにフォワードし、前記ＷＬＡＮネットワークにより前記ダウンリンクデータをＭＡＣフレームの第２ダウンリンクデータパケットとしてカプセル化して前記ＵＥに送信し、第２部分データの交換を完成し、ここで、前記アップリンクデータパケットが前記ＵＥと前記ＷＬＡＮネットワークの間で伝送される場合、前記アップリンクデータパケットのソースＭＡＣアドレスを第１ＭＡＣアドレスとしてカプセル化し、ターゲットＭＡＣアドレスを前記ＷＬＡＮネットワークの初期ＭＡＣアドレスとしてカプセル化し、前記第２ダウンリンクデータパケットのソースＭＡＣアドレスを前記ＷＬＡＮネットワークのＭＡＣアドレスとしてカプセル化し、ターゲットＭＡＣアドレスを第１ＭＡＣアドレスとしてカプセル化する。
【０１６４】
送受信機１４１０は、プロセッサ１４００の制御によりデータを送受信する。
【０１６５】
図１４において、バスアーキテクチャは、いずれ数の相互接続するバス及びブリッジを備える。具体的に、プロセッサ１４００が代表となる１つまたは複数のプロセッサ及びメモリ１４２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１４１０は、複数の部品であることができ、即ち、送信機及び受信機を備え、伝送媒体を介して他の装置と通信するユニットを提供する。プロセッサ１４００は、バズアーキテクチャ及び通常の処理を監視し、メモリ１４２０は、プロセッサ１４００が動作する際に利用するデータを記憶することができる。
【０１６６】
前記実施例をベースとして、図１５に示すように、本発明に係る実施例八が提供するネットワーク側機器は、プロセッサ１５００を備える。
【０１６７】
前記プロセッサ１５００は、メモリ１５２０に格納されたプログラムを読み出し、送受信機１５１０により基地局からリクエストメッセージを受信し、前記リクエストメッセージに対してパス識別子を割り当て、送受信機１５１０により前記基地局に応答メッセージを送信し、関連のパス確立情報を前記基地局に通知する。前記応答メッセージには前記ＷＬＡＮネットワークが割り当てたパス識別子が含まれる。前記リクエストメッセージには少なくともＵＥの第１ＭＡＣアドレスが含まれる。
【０１６８】
こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【０１６９】
オプションとして、前記プロセッサ１５００が割り当てた前記パス識別子は、前記リクエストメッセージに対して割り当てた第２ＭＡＣアドレスであるか、または、前記リクエストメッセージに対して割り当てた第１ユーザープレーントンネルエンドポイント識別子（ＴＥＩＤ）である。
【０１７０】
オプションとして、送受信機１５１０により前記基地局からリクエストメッセージを受信する場合、前記プロセッサ１５００は、
前記ネットワーク側機器と前記基地局の間で層２フレーム方式により通信すれば、送受信機１５１０により前記基地局からパス確立リクエストメッセージを受信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれる。
【０１７１】
前記ネットワーク側機器と前記基地局の間でＧＴＰトンネル方式により通信すれば、送受信機１５１０により前記基地局からベアラ創立リクエストメッセージを受信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれる。
【０１７２】
オプションとして、前記リクエストメッセージに対してパス識別子を割り当て、送受信機１５１０により前記基地局に応答メッセージを送信し、関連のパス確立情報を前記基地局に通知する場合、前記プロセッサ１５００は、
前記ネットワーク側機器と前記基地局の間で層２フレーム方式により通信すれば、前記パス確立リクエストメッセージに対してパス識別子を割り当て、送受信機１５１０により前記基地局にパス確立応答メッセージを送信し、関連のパス確立情報を前記基地局に通知し、前記パス確立応答メッセージには、前記ＷＬＡＮネットワークから前記パス確立リクエストメッセージに対して割り当てた第２ＭＡＣアドレスが含まれるか、または、
前記ネットワーク側機器と前記基地局の間でＧＴＰトンネル方式により通信すれば、前記ベアラ創立リクエストメッセージに対してパス識別子を割り当て、送受信機１５１０により前記基地局にベアラ創立応答メッセージを送信し、関連のパス確立情報を前記基地局に通知し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれる。
【０１７３】
送受信機１５１０は、プロセッサ１５００の制御によりデータを送受信する。
【０１７４】
図１５において、バスアーキテクチャは、いずれ数の相互接続するバス及びブリッジを備える。具体的に、プロセッサ１５００が代表となる１つまたは複数のプロセッサ及びメモリ１５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１５１０は、複数の部品であることができ、即ち、送信機及び受信機を備え、伝送媒体を介して他の装置と通信するユニットを提供する。プロセッサ１５００は、バズアーキテクチャ及び通常の処理を監視し、メモリ１５２０は、プロセッサ１４００が動作する際に利用するデータを記憶することができる。
【０１７５】
総じて、本発明に係る実施例によれば、基地局は、１つのＵＥが指定したＷＬＡＮネットワークに接続したと確定した後、前記ＷＬＡＮネットワークにリクエストメッセージを送信し、そして、基地局はＷＬＡＮネットワークによりフィードバックされた前記リクエストメッセージへの応答メッセージを受信し、基地局は、前記ＵＥにパス変更確認メッセージを送信して、前記ＵＥに、前記基地局から前記ＷＬＡＮ ネットワークにオフロードするためのパス確立が成功したことを通知し、こうして、３ＧＰＰ接続ネットワークが混雑している場合、ＷＬＡＮ接続ネットワークがアイドル状態になる可能性があるため、ＷＬＡＮ接続ネットワークのエア・インタフェースを介して、３ＧＰＰ接続ネットワークによる伝送すべきの一部のトラフィックを、ＷＬＡＮ接続ネットワークにオフロードすることができ、こうして、ユーザーに一層よいサービスを体験させる以外、３ＧＰＰ接続ネットワークの無線利用率を向上し、ならびに、３ＧＰＰ接続ネットワークのスループットを増大し、データの伝送率を向上し、システムの性能を著しく最適化することができる。
【０１７６】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０１７７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１７８】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１７９】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１８０】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１８１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１８２】
本出願は、２０１５年４月１３日に中国特許局に提出し、出願番号が２０１５１０１７３２５４.８であり、発明名称が「データ・オフロードのためのパスを確立する方法及び装置」との中国特許出願を基礎とする優先権を主張し、その開示の総てをここに取り込む。
【符号の説明】
【０１８３】
７００、７０１、７０２  ステップ
１１０，１１１  ステップ
１２０  送信ユニット
１２１  受信ユニット
１２２  確認ユニット
１２３  通信ユニット
１３０  受信ユニット
１３１  送信ユニット
１４００、１５００  プロセッサ
１４２０、１５２０  メモリ
１４１０、１５１０  送受信機
【図１】
2019201421.tif 000003
【図２】
2019201421.tif 000004
【図３】
2019201421.tif 000005
【図４】
2019201421.tif 000006
【図５Ａ】
2019201421.tif 000007
【図５Ｂ】
2019201421.tif 000008
【図６】
2019201421.tif 000009
【図７】
2019201421.tif 000010
【図８】
2019201421.tif 000011
【図９】
2019201421.tif 000012
【図１０】
2019201421.tif 000013
【図１１】
2019201421.tif 000014
【図１２】
2019201421.tif 000015
【図１３】
2019201421.tif 000016
【図１４】
2019201421.tif 000017
【図１５】
2019201421.tif 000018
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
データ・オフロードのためのパスを確立する方法であって、基地局側に適用され、前記方法は、
基地局は、ＷＬＡＮネットワークにリクエストメッセージを送信するステップと、
前記基地局は、前記ＷＬＡＮネットワークからフィードバックされた前記リクエストメッセージへの応答メッセージを受信するステップと、
前記基地局は、ＵＥにパス変更確認メッセージを送信し、前記基地局から前記ＷＬＡＮネットワークにオフロードするためのパス確立が成功したことを前記ＵＥに通知するステップとを備え、
前記リクエストメッセージには、ＵＥの第１ＭＡＣアドレスが含まれ、前記応答メッセージには少なくとも前記ＷＬＡＮネットワークから前記リクエストメッセージに対して割り当てたパス識別子が含まれ、
前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）であることを特徴とするデータ・オフロードのためのパスを確立する方法。
【請求項２】
前記基地局が、前記ＷＬＡＮネットワークからフィードバックされた前記リクエストメッセージへの応答メッセージを受信するステップであって、前記応答メッセージには少なくとも前記ＷＬＡＮネットワークから前記リクエストメッセージに対して割り当てたパス識別子が含まれる前記受信ステップは、
前記基地局と前記ＷＬＡＮネットワークの間で層２フレームの方式により通信すれば、前記基地局は、前記ＷＬＡＮネットワークからフィードバックされたパス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれるか、または、
前記基地局と前記ＷＬＡＮネットワークの間でＧＴＰトンネル方式で通信すれば、前記基地局は、前記ＷＬＡＮネットワークからフィードバックされたベアラ創立リクエストメッセージへのベアラ創立応答メッセージを受信し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれることを特徴とする請求項１に記載のデータ・オフロードのためのパスを確立する方法。
【請求項３】
前記基地局が前記ＵＥが指定したＷＬＡＮネットワークに接続したと確定する前、
前記基地局は、現ネットワークの接続負荷がプリセットした閾値より大きいと確定する場合、前記ＵＥにオフロード通知メッセージを送信し、前記オフロード通知メッセージは、指定したＷＬＡＮネットワークの識別子及び前記ＷＬＡＮネットワークにオフロードすべきの無線ベアラの識別子を前記ＵＥに通知することに用いられ、
前記基地局は、前記ＵＥからフィードバックされたオフロード確認メッセージを受信し、前記オフロード確認メッセージは、前記ＵＥが指定したＷＬＡＮネットワークへのオフロード動作を認めることを確定するためのものであることを特徴とする請求項１に記載のデータ・オフロードのためのパスを確立する方法。
【請求項４】
前処理段階において、前記基地局は、前記ＵＥからのＲＲＣ（ＲＲＣ）メッセージを受信し、前記ＲＲＣメッセージには前記ＵＥの第１ＭＡＣアドレスが含まれ、
前記基地局は、前記ＵＥの第１ＭＡＣアドレスを格納することを特徴とする請求項１に記載のデータ・オフロードのためのパスを確立する方法。
【請求項５】
前記基地局が、前記ＷＬＡＮネットワークに少なくともＵＥの第１ＭＡＣアドレスが含まれるリクエストメッセージを送信する場合、
前記基地局と前記ＷＬＡＮネットワークの間で層２フレームの方式により通信すれば、前記基地局は、前記ＷＬＡＮネットワークにパス確立リクエストメッセージを送信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、
前記基地局と前記ＷＬＡＮネットワークの間でＧＴＰトンネル方式で通信すれば、前記基地局は、前記ＷＬＡＮネットワークにベアラ創立リクエストメッセージを送信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てられた第２ユーザープレーントンネルエンドポイント識別子（ＴＥＩＤ）が含まれることを特徴とする請求項１ないし請求項４のいずれか１項に記載のデータ・オフロードのためのパスを確立する方法。
【請求項６】
データ・オフロードのためのパス確立装置であって、基地局側に適用され、前記装置は、
ＷＬＡＮネットワークにリクエストメッセージを送信する送信ユニットと、
前記ＷＬＡＮネットワークからフィードバックされた前記リクエストメッセージへの応答メッセージを受信する受信ユニットと、
ＵＥにパス変更確認メッセージを送信し、前記基地局から前記ＷＬＡＮネットワークにオフロードするためのパス確立が成功したことを前記ＵＥに通知する確認ユニットとを備え、
前記リクエストメッセージには少なくともＵＥの第１ＭＡＣアドレスが含まれ、前記応答メッセージには少なくとも前記ＷＬＡＮネットワークから前記リクエストメッセージに対して割り当てたパス識別子が含まれ、
前記受信ユニットが受信した前記パス識別子は、前記ＷＬＡＮネットワークから前記リクエストメッセージに対して割り当てた第２ＭＡＣアドレスまたは前記ＷＬＡＮネットワークから前記リクエストメッセージに対して割り当てた第１ユーザープレーントンネルエンドポイント識別子（ＴＥＩＤ）であることを特徴とするデータ・オフロードのためのパス確立装置。
【請求項７】
前記ＷＬＡＮネットワークからフィードバックされた前記リクエストメッセージへの応答メッセージを受信する場合、前記受信ユニットは、
基地局と前記ＷＬＡＮネットワークの間で層２フレーム方式により通信すれば、前記ＷＬＡＮネットワークからフィードバックされたパス確立リクエストメッセージへのパス確立応答メッセージを受信し、前記パス確立応答メッセージには、前記ＷＬＡＮネットワークから前記パス確立リクエストメッセージに対して割り当てた第２ＭＡＣアドレスが含まれるか、または、
基地局と前記ＷＬＡＮネットワークの間でＧＴＰトンネル方式により通信すれば、前記ＷＬＡＮネットワークからフィードバックされたベアラ創立リクエストメッセージへのベアラ創立応答メッセージを受信し、前記ベアラ創立応答メッセージには、少なくとも前記ＷＬＡＮネットワークから前記ベアラ創立リクエストメッセージに対して割り当てた第１ベアラ識別子及び第１ユーザープレーンＴＥＩＤが含まれることを特徴とする請求項６に記載のデータ・オフロードのためのパス確立装置。
【請求項８】
前記ＵＥが指定したＷＬＡＮネットワークに接続したと確定する前、前記送信ユニットは、
現ネットワークの接続負荷がプリセットした閾値より大きいと確定する場合、前記ＵＥにオフロード通知メッセージを送信し、前記オフロード通知メッセージは、指定したＷＬＡＮネットワークの識別子及び前記ＷＬＡＮネットワークにオフロードすべきの無線ベアラの識別子を前記ＵＥに通知することに用いられ、
前記受信ユニットは、前記ＵＥからフィードバックされたオフロード確認メッセージを受信し、前記オフロード確認メッセージは、前記ＵＥが指定したＷＬＡＮネットワークへのオフロード動作を認めることを確定するためのものであることを特徴とする請求項６に記載のデータ・オフロードのためのパス確立装置。
【請求項９】
前記ＷＬＡＮネットワークにリクエストメッセージを送信する場合、前記送信ユニットは、
基地局と前記ＷＬＡＮネットワークの間で層２フレーム方式により通信すれば、前記ＷＬＡＮネットワークにパス確立リクエストメッセージを送信し、前記パス確立リクエストメッセージは、前記パス確立リクエストメッセージへの関連パスアドレスパラメータを割り当てるように前記ＷＬＡＮネットワークにリクエストするものであり、前記パス確立リクエストメッセージにはＵＥの第１ＭＡＣアドレスが含まれ、
前記基地局と前記ＷＬＡＮネットワークの間でＧＴＰトンネル方式で通信すれば、前記ＷＬＡＮネットワークにベアラ創立リクエストメッセージを送信し、前記ベアラ創立リクエストメッセージは、前記ベアラ創立リクエストメッセージへの関連パスアドレスパラメータを割り当てるように前記ＷＬＡＮネットワークにリクエストするものであり、前記ベアラ創立リクエストメッセージには、ＵＥの第１ＭＡＣアドレス及び前記基地局からユーザープレーンのために割り当てた第２ユーザープレーントンネルエンドポイント識別子（ＴＥＩＤ）が含まれることを特徴とする請求項６ないし請求項８のいずれか１項に記載のデータ・オフロードのためのパス確立装置。
【請求項１０】
前記受信ユニットは、
前処理段階において、前記ＵＥからＲＲＣ（ＲＲＣ）メッセージを受信し、
前記ＵＥの第１ＭＡＣアドレスを格納し、
前記ＲＲＣメッセージには前記ＵＥの第１ＭＡＣアドレスが含まれることを特徴とする請求項６に記載のデータ・オフロードのためのパス確立装置。
【外国語明細書】
2019201421000001.pdf